(57)【要約】本発明の実施形態は、情報送受信方法、装置、およびシステムを提供し、ネットワークアプリケーション分野に関する。情報送受信方法は、サービングセルのサブフレーム長を決定するステップと、サービングセルのサブフレーム長に基づいてサービングセルの同期信号期間を決定するステップと、同期信号期間およびサブフレーム長に基づいてサービングセルにおいて情報を送信または受信するステップとを含む。本発明において、サービングセルの同期信号期間は、サービングセルのサブフレーム長に基づいて決定され、その結果５Ｇ通信ネットワークにおいて異なるサブフレーム長に対応する同期信号の設計問題が解決される。
2019520731.tif 000002
【特許請求の範囲】
【請求項１】
情報送受信方法であって、前記方法は、
ユーザ機器により、サービングセルのサブフレーム長を決定するステップと、
前記ユーザ機器により、前記サービングセルの前記サブフレーム長に基づいて前記サービングセルの同期信号期間を決定するステップと、
前記ユーザ機器により、前記同期信号期間および前記サブフレーム長に基づいて前記サービングセルにおいて情報を送信または受信するステップと
を含む、方法。
【請求項２】
前記ユーザ機器により、前記サービングセルの前記サブフレーム長に基づいて前記サービングセルの同期信号期間を前記決定するステップは、
前記ユーザ機器により、前記サービングセルの前記サブフレーム長に基づいて、前記サービングセルの前記サブフレーム長に対応するサブフレーム長セットを決定するステップと、
前記ユーザ機器により、前記サブフレーム長セット中の最大サブフレーム長に基づいて前記サービングセルの前記同期信号期間を決定するステップと
を含む、請求項１に記載の方法。
【請求項３】
前記サービングセルの前記サブフレーム長に対応する前記サブフレーム長セットは、第１のサブフレーム長セットおよび第２のサブフレーム長セットのうちの１つであり、前記第１のサブフレーム長セット中の任意のサブフレーム長は、前記第２のサブフレーム長セット中の任意のサブフレーム長より大きい、請求項２に記載の方法。
【請求項４】
前記サービングセルの同期信号期間でありかつ前記第１のサブフレーム長セットに基づいて決定される同期信号期間は、前記サービングセルの同期信号期間でありかつ前記第２のサブフレーム長セットに基づいて決定される同期信号期間より長い、請求項３に記載の方法。
【請求項５】
前記第１のサブフレーム長セットは、第１のサブフレーム長および第２のサブフレーム長を含み、前記第１のサブフレーム長は０．５ミリ秒であり、前記第２のサブフレーム長は１ミリ秒であり、前記第２のサブフレーム長セットは、第３のサブフレーム長および第４のサブフレーム長を含み、前記第３のサブフレーム長は０．１２５ミリ秒であり、前記第３のサブフレーム長は０．２５ミリ秒である、請求項３または４に記載の方法。
【請求項６】
前記サービングセルの前記サブフレーム長に対応する前記サブフレーム長セットは、第１のサブフレーム長および第２のサブフレーム長を含み、前記第１のサブフレーム長は０．５ミリ秒であり、前記第２のサブフレーム長は１ミリ秒である、または
前記サービングセルの前記サブフレーム長に対応する前記サブフレーム長セットは、第３のサブフレーム長および第４のサブフレーム長を含み、前記第３のサブフレーム長は０．１２５ミリ秒であり、前記第４のサブフレーム長は０．２５ミリ秒である、請求項２に記載の方法。
【請求項７】
前記ユーザ機器により、前記サービングセルの前記サブフレーム長に基づいて前記サービングセルの同期信号期間を前記決定するステップは、
前記サービングセルの前記サブフレーム長が０．１２５ミリ秒である場合に、前記ユーザ機器により、０．２５ミリ秒のサブフレーム長に基づいて前記サービングセルの前記同期信号期間を決定するステップ、
前記サービングセルの前記サブフレーム長が０．２５ミリ秒である場合に、前記ユーザ機器により、０．２５ミリ秒のサブフレーム長に基づいて前記サービングセルの前記同期信号期間を決定するステップ、
前記サービングセルの前記サブフレーム長が０．５ミリ秒である場合に、前記ユーザ機器により、前記サービングセルの前記同期信号期間を１ミリ秒のサブフレーム長に基づいて決定するステップ、または
前記サービングセルの前記サブフレーム長が１ミリ秒である場合に、前記ユーザ機器により、１ミリ秒のサブフレーム長に基づいて前記サービングセルの前記同期信号期間を決定するステップを含む、請求項１に記載の方法。
【請求項８】
前記ユーザ機器により、前記サービングセルの前記サブフレーム長に基づいて前記サービングセルの同期信号期間を前記決定するステップは、
前記サービングセルの前記サブフレーム長が０．１２５ミリ秒である場合に、前記ユーザ機器により、前記サービングセルの前記同期信号期間が０．２５ミリ秒の正の整数倍であると決定するステップ、
前記サービングセルの前記サブフレーム長が０．２５ミリ秒である場合に、前記ユーザ機器により、前記サービングセルの前記同期信号期間が０．２５ミリ秒の正の整数倍であると決定するステップ、
前記サービングセルの前記サブフレーム長が０．５ミリ秒である場合に、前記ユーザ機器により、前記サービングセルの前記同期信号期間が１ミリ秒の正の整数倍であると決定するステップ、または
前記サービングセルの前記サブフレーム長が１ミリ秒である場合に、前記ユーザ機器により、前記サービングセルの前記同期信号期間が１ミリ秒の正の整数倍であると決定するステップを含む、請求項１に記載の方法。
【請求項９】
前記ユーザ機器により、前記サービングセルの前記サブフレーム長に基づいて前記サービングセルの同期信号期間を前記決定するステップは、
前記サービングセルの前記サブフレーム長が０．１２５ミリ秒である場合に、前記ユーザ機器により、前記サービングセルの前記同期信号期間が１．２５ミリ秒であると決定するステップ、
前記サービングセルの前記サブフレーム長が０．２５ミリ秒である場合に、前記ユーザ機器により、前記サービングセルの前記同期信号期間が１．２５ミリ秒であると決定するステップ、
前記サービングセルの前記サブフレーム長が０．５ミリ秒である場合に、前記ユーザ機器により、前記サービングセルの前記同期信号期間が５ミリ秒であると決定するステップ、または
前記サービングセルの前記サブフレーム長が１ミリ秒である場合に、前記ユーザ機器により、前記サービングセルの前記同期信号期間が５ミリ秒であると決定するステップを含む、請求項１に記載の方法。
【請求項１０】
前記方法はさらに、
前記ユーザ機器により、前記サービングセルのシステム情報を受信するステップを含み、前記サービングセルのシステム情報期間は、前記サービングセルの前記同期信号期間と同じである、請求項１に記載の方法。
【請求項１１】
前記方法はさらに、
前記ユーザ機器により、前記サービングセルの前記サブフレーム長に基づいて前記サービングセルのシステム情報期間を決定するステップを含み、
前記ユーザ機器により、前記同期信号期間および前記サブフレーム長に基づいて前記サービングセルにおいて情報を前記送信または受信するステップはさらに、
前記ユーザ機器により、前記同期信号期間、前記サービングセルの前記システム情報期間、および前記サブフレーム長に基づいて前記サービングセルにおいて情報を送信または受信するステップを含む、請求項１に記載の方法。
【請求項１２】
前記ユーザ機器により、前記サービングセルの前記サブフレーム長に基づいて前記サービングセルのシステム情報期間を前記決定するステップは、
前記ユーザ機器により、前記サービングセルの前記サブフレーム長に基づいて、前記サービングセルの前記サブフレーム長に対応するサブフレーム長セットを決定するステップと、
前記ユーザ機器により、前記サブフレーム長セット中の最大サブフレーム長に基づいて前記サービングセルの前記システム情報期間を決定するステップとを含む、請求項１１に記載の方法。
【請求項１３】
ユーザ機器により、サービングセルのサブフレーム長を前記決定するステップは、
前記ユーザ機器により、前記サービングセルの同期信号に対応するシーケンスを決定するステップと、
前記ユーザ機器により、前記同期信号に対応する前記シーケンスに基づいて前記サービングセルの前記サブフレーム長を決定するステップとを含む、請求項１に記載の方法。
【請求項１４】
前記ユーザ機器により、前記同期信号に対応する前記シーケンスに基づいて前記サービングセルの前記サブフレーム長を前記決定するステップは、
前記同期信号に対応する前記シーケンスが第１のシーケンスである場合に、前記ユーザ機器により、前記サービングセルの前記サブフレーム長は第１のサブフレーム長であると決定するステップ、または
前記同期信号に対応する前記シーケンスが第２のシーケンスである場合に、前記ユーザ機器により、前記サービングセルの前記サブフレーム長は第２のサブフレーム長であると決定するステップを含む、請求項１３に記載の方法。
【請求項１５】
前記ユーザ機器により、前記同期信号に対応する前記シーケンスに基づいて前記サービングセルの前記サブフレーム長を決定する前記ステップは、
前記同期信号に対応する前記シーケンスが第３のシーケンスである場合に、前記ユーザ機器により、前記サービングセルの前記サブフレーム長は第３のサブフレーム長であると決定するステップ、または
前記同期信号に対応する前記シーケンスが第４のシーケンスである場合に、前記ユーザ機器により、前記サービングセルの前記サブフレーム長は第４のサブフレーム長であると決定するステップを含む、請求項１３に記載の方法。
【請求項１６】
前記第１のサブフレーム長は０．１２５ミリ秒であり、前記第２のサブフレーム長は０．２５ミリ秒である、請求項１４に記載の方法。
【請求項１７】
前記第３のサブフレーム長は０．５ミリ秒であり、前記第４のサブフレーム長は１ミリ秒である、請求項１５に記載の方法。
【請求項１８】
前記同期信号は、プライマリ同期信号である、請求項１３から１７のいずれか一項に記載の方法。
【請求項１９】
前記同期信号は、前記同期信号を運ぶサブフレームの最初のＮ個のシンボル内に位置し、Ｎは１以上である、請求項１３から１８のいずれか一項に記載の方法。
【請求項２０】
情報送受信方法であって、
基地局により、サービングセルのサブフレーム長を決定するステップと、
前記基地局により、前記サービングセルの前記サブフレーム長に基づいて前記サービングセルの同期信号期間を決定するステップと、
前記基地局により、前記同期信号期間に基づいて前記サービングセルにおいて同期信号を送信するステップと、
前記基地局により、前記サービングセルの前記サブフレーム長に基づいて前記サービングセルにおいて情報を送信または受信するステップと
を含む、方法。
【請求項２１】
前記基地局により、前記サービングセルの前記サブフレーム長に基づいて前記サービングセルの同期信号期間を前記決定するステップは、
前記基地局により、前記サービングセルの前記サブフレーム長に基づいて、前記サービングセルの前記サブフレーム長に対応するサブフレーム長セットを決定するステップと、
前記基地局により、前記サブフレーム長セット中の最大サブフレーム長に基づいて前記サービングセルの前記同期信号期間を決定するステップとを含む、請求項２０に記載の方法。
【請求項２２】
前記サービングセルの前記サブフレーム長に対応する前記サブフレーム長セットは、第１のサブフレーム長セットおよび第２のサブフレーム長セットのうちの１つであり、前記第１のサブフレーム長セット中の任意のサブフレーム長は、前記第２のサブフレーム長セット中の任意のサブフレーム長より大きい、請求項２１に記載の方法。
【請求項２３】
前記サービングセルの同期信号期間であり、前記第１のサブフレーム長セットに基づいて決定される同期信号期間は、前記サービングセルの同期信号期間であり、前記第２のサブフレーム長セットに基づいて決定される同期信号期間より長い、請求項２２に記載の方法。
【請求項２４】
前記第１のサブフレーム長セットは、第１のサブフレーム長および第２のサブフレーム長を含み、前記第１のサブフレーム長は０．５ミリ秒であり、前記第２のサブフレーム長は１ミリ秒であり、前記第２のサブフレーム長セットは、第３のサブフレーム長および第４のサブフレーム長を含み、前記第３のサブフレーム長は０．１２５ミリ秒であり、前記第４のサブフレーム長は０．２５ミリ秒である、請求項２２または２３に記載の方法。
【請求項２５】
前記サービングセルの前記サブフレーム長に対応する前記サブフレーム長セットは、第１のサブフレーム長および第２のサブフレーム長を含み、前記第１のサブフレーム長は０．５ミリ秒であり、前記第２のサブフレーム長は１ミリ秒である、または
前記サービングセルの前記サブフレーム長に対応する前記サブフレーム長セットは、第３のサブフレーム長および第４のサブフレーム長を含み、前記第３のサブフレーム長は０．１２５ミリ秒であり、前記第３のサブフレーム長は０．２５ミリ秒である、請求項２１に記載の方法。
【請求項２６】
前記基地局により、前記サービングセルの前記サブフレーム長に基づいて前記サービングセルの同期信号期間を前記決定するステップは、
前記サービングセルの前記サブフレーム長が０．１２５ミリ秒である場合に、０．２５ミリ秒のサブフレーム長に基づいて前記基地局により、前記サービングセルの前記同期信号期間を決定するステップ、
前記サービングセルの前記サブフレーム長が０．２５ミリ秒である場合に、前記基地局により、０．２５ミリ秒のサブフレーム長に基づいて前記サービングセルの前記同期信号期間を決定するステップ、
前記サービングセルの前記サブフレーム長が０．５ミリ秒である場合に、前記基地局により、１ミリ秒のサブフレーム長に基づいて前記サービングセルの前記同期信号期間を決定するステップ、または
前記サービングセルの前記サブフレーム長が１ミリ秒である場合に、１ミリ秒のサブフレーム長に基づいて前記基地局により、前記サービングセルの前記同期信号期間を決定するステップを含む、請求項２０に記載の方法。
【請求項２７】
前記基地局により、前記サービングセルの前記サブフレーム長に基づいて前記サービングセルの同期信号期間を前記決定するステップは、
前記サービングセルの前記サブフレーム長が０．１２５ミリ秒である場合に、前記基地局により、前記サービングセルの前記同期信号期間が０．２５ミリ秒の正の整数倍であると決定するステップ、
前記サービングセルの前記サブフレーム長が０．２５ミリ秒である場合に、前記ユーザ機器により、前記サービングセルの前記同期信号期間が０．２５ミリ秒の正の整数倍であると決定するステップ、
前記サービングセルの前記サブフレーム長が０．５ミリ秒である場合に、前記基地局により、前記サービングセルの前記同期信号期間が１ミリ秒の正の整数倍であると決定するステップ、または
前記サービングセルの前記サブフレーム長が１ミリ秒である場合に、前記基地局により、前記サービングセルの前記同期信号期間が１ミリ秒の正の整数倍であると決定するステップを含む、請求項２０に記載の方法。
【請求項２８】
前記基地局により、前記サービングセルの前記サブフレーム長に基づいて前記サービングセルの同期信号期間を前記決定するステップは、
前記サービングセルの前記サブフレーム長が０．１２５ミリ秒である場合に、前記基地局により、前記サービングセルの前記同期信号期間が１．２５ミリ秒であると決定するステップ、
前記サービングセルの前記サブフレーム長が０．２５ミリ秒である場合に、前記基地局により、前記サービングセルの前記同期信号期間が１．２５ミリ秒であると決定するステップ、
前記サービングセルの前記サブフレーム長が０．５ミリ秒である場合に、前記基地局により、前記サービングセルの前記同期信号期間が５ミリ秒であると決定するステップ、または
前記サービングセルの前記サブフレーム長が１ミリ秒である場合に、前記基地局により、前記サービングセルの前記同期信号期間が５ミリ秒であると決定するステップを含む、請求項２０に記載の方法。
【請求項２９】
前記方法はさらに、
前記基地局により、前記サービングセルのシステム情報を送信するステップを含み、前記サービングセルのシステム情報期間は、前記サービングセルの前記同期信号期間と同じである、請求項２０に記載の方法。
【請求項３０】
前記方法はさらに、
前記基地局により、前記サービングセルの前記サブフレーム長に基づいて前記サービングセルのシステム情報期間を決定するステップを含み、
前記基地局により、前記サービングセルのサブフレーム長に基づいて前記サービングセルにおいて情報を前記送信または受信するステップはさらに、
前記基地局により、前記同期信号期間、前記サービングセルの前記システム情報期間、および前記サブフレーム長に基づいて前記サービングセルにおいて情報を送信または受信するステップを含む、請求項２０に記載の方法。
【請求項３１】
前記基地局により、前記サービングセルの前記サブフレーム長に基づいて前記サービングセルのシステム情報期間を前記決定するステップは、
前記基地局により、前記サービングセルの前記サブフレーム長に基づいて、前記サービングセルの前記サブフレーム長に対応するサブフレーム長セットを決定するステップと、
前記基地局により、前記サブフレーム長セット中の最大サブフレーム長に基づいて前記サービングセルの前記システム情報期間を決定するステップとを含む、請求項３０に記載の方法。
【請求項３２】
前記基地局により、前記同期信号期間に基づいて前記サービングセルにおいて同期信号を前記送信するステップは、
前記基地局により、前記サービングセルの前記サブフレーム長に基づいて前記同期信号のシーケンスを決定するステップと、
前記基地局により、前記同期信号期間および前記同期信号の前記シーケンスに基づいて前記サービングセルにおいて前記同期信号を送信するステップと含む、請求項２０に記載の方法。
【請求項３３】
前記基地局により、前記サービングセルの前記サブフレーム長に基づいて前記同期信号期間のシーケンスを前記決定するステップは、
前記サービングセルの前記サブフレーム長が第１のサブフレーム長である場合に、前記基地局により、前記同期信号に対応する前記シーケンスは第１のシーケンスであると決定するステップ、または
前記サービングセルの前記サブフレーム長が第２のサブフレーム長である場合に、前記基地局により、前記同期信号に対応する前記シーケンスは第２のシーケンスであると決定するステップを含む、請求項３２に記載の方法。
【請求項３４】
前記基地局により、前記サービングセルの前記サブフレーム長に基づいて前記同期信号期間のシーケンスを前記決定するステップは、
前記サービングセルの前記サブフレーム長が第３のサブフレーム長である場合に、前記基地局により、前記同期信号に対応する前記シーケンスは第３のシーケンスであると決定するステップ、または
前記サービングセルの前記サブフレーム長が第４のサブフレーム長である場合に、前記基地局により、前記同期信号に対応する前記シーケンスは第４のシーケンスであると決定するステップを含む、請求項３２に記載の方法。
【請求項３５】
前記第１のサブフレーム長は０．１２５ミリ秒であり、前記第２のサブフレーム長は０．２５ミリ秒である、請求項３３に記載の方法。
【請求項３６】
前記第１のサブフレーム長は０．５ミリ秒であり、前記第２のサブフレーム長は１ミリ秒である、請求項３４に記載の方法。
【請求項３７】
前記同期信号は、プライマリ同期信号である、請求項３２から３６のいずれか一項に記載の方法。
【請求項３８】
前記同期信号は、前記同期信号を運ぶサブフレームの最初のＮ個のシンボル内に位置し、Ｎは１以上である、請求項３２から３７のいずれか一項に記載の方法。
【請求項３９】
情報送受信装置であって、
サービングセルのサブフレーム長を決定するように構成される処理部であって、前記処理部はさらに、前記サービングセルの同期信号期間を前記サービングセルの前記決定されたサブフレーム長に基づいて決定するように構成される、処理部と、
前記処理部により決定された前記同期信号期間、および前記処理部により決定された前記サブフレーム長に基づいて前記サービングセルにおいて情報を送信または受信するように構成されるトランシーバ部と
を備えた情報送受信装置。
【請求項４０】
前記処理部はさらに、
前記サービングセルの前記サブフレーム長に基づいて、前記サービングセルの前記サブフレーム長に対応するサブフレーム長セットを決定し、
前記サブフレーム長セット中の最大サブフレーム長に基づいて、前記サービングセルの前記同期信号期間を決定するように構成される、請求項３９に記載の装置。
【請求項４１】
前記サービングセルの前記サブフレーム長に対応する前記サブフレーム長セットは、第１のサブフレーム長セットおよび第２のサブフレーム長セットのうちの１つであり、前記第１のサブフレーム長セット中の任意のサブフレーム長は、前記第２のサブフレーム長セット中の任意のサブフレーム長より大きい、請求項４０に記載の装置。
【請求項４２】
前記サービングセルの同期信号期間であり、前記第１のサブフレーム長セットに基づいて決定される同期信号期間は、前記サービングセルの同期信号期間であり、前記第２のサブフレーム長セットに基づいて決定される同期信号期間より長い、請求項４１に記載の装置。
【請求項４３】
前記第１のサブフレーム長セットは、第１のサブフレーム長および第２のサブフレーム長を含み、前記第１のサブフレーム長は０．５ミリ秒であり、前記第２のサブフレーム長は１ミリ秒であり、前記第２のサブフレーム長セットは、第３のサブフレーム長および第４のサブフレーム長を含み、前記第３のサブフレーム長は０．１２５ミリ秒であり、前記第３のサブフレーム長は０．２５ミリ秒である、請求項４１または４２に記載の装置。
【請求項４４】
前記サービングセルの前記サブフレーム長に対応する前記サブフレーム長セットは、第１のサブフレーム長および第２のサブフレーム長を含み、前記第１のサブフレーム長は０．５ミリ秒であり、前記第２のサブフレーム長は１ミリ秒である、または
前記サービングセルの前記サブフレーム長に対応する前記サブフレーム長セットは、第３のサブフレーム長および第４のサブフレーム長を含み、前記第３のサブフレーム長は０．１２５ミリ秒であり、前記第４のサブフレーム長は０．２５ミリ秒である、請求項４０に記載の装置。
【請求項４５】
前記処理部はさらに、
前記サービングセルの前記サブフレーム長が０．１２５ミリ秒である場合に、０．２５ミリ秒のサブフレーム長に基づいて前記サービングセルの前記同期信号期間を決定する、
前記サービングセルの前記サブフレーム長が０．２５ミリ秒である場合に、０．２５ミリ秒のサブフレーム長に基づいて前記サービングセルの前記同期信号期間を決定する、
前記サービングセルの前記サブフレーム長が０．５ミリ秒である場合に、前記サービングセルの前記同期信号期間を１ミリ秒のサブフレーム長に基づいて決定する、または
前記サービングセルの前記サブフレーム長が１ミリ秒である場合に、前記サービングセルの前記同期信号期間を１ミリ秒のサブフレーム長に基づいて決定するように構成される、請求項３９に記載の装置。
【請求項４６】
前記処理部はさらに、
前記サービングセルの前記サブフレーム長が０．１２５ミリ秒である場合に、前記サービングセルの前記同期信号期間が０．２５ミリ秒の正の整数倍であると決定する、
前記サービングセルの前記サブフレーム長が０．２５ミリ秒である場合に、前記サービングセルの前記同期信号期間が０．２５ミリ秒の正の整数倍であると決定する、
前記サービングセルの前記サブフレーム長が０．５ミリ秒である場合に、前記サービングセルの前記同期信号期間が１ミリ秒の正の整数倍であると決定する、または
前記サービングセルの前記サブフレーム長が１ミリ秒である場合に、前記サービングセルの前記同期信号期間が１ミリ秒の正の整数倍であると決定するように構成される、請求項３９に記載の装置。
【請求項４７】
前記処理部はさらに、
前記サービングセルの前記サブフレーム長が０．１２５ミリ秒である場合に、前記サービングセルの前記同期信号期間が１．２５ミリ秒であると決定する、
前記サービングセルの前記サブフレーム長が０．２５ミリ秒である場合に、前記サービングセルの前記同期信号期間が１．２５ミリ秒であると決定する、
前記サービングセルの前記サブフレーム長が０．５ミリ秒である場合に、前記サービングセルの前記同期信号期間が５ミリ秒であると決定する、または
前記サービングセルの前記サブフレーム長が１ミリ秒である場合に、前記サービングセルの前記同期信号期間が５ミリ秒であると決定するように構成される、請求項３９に記載の装置。
【請求項４８】
前記トランシーバ部はさらに、
前記サービングセルのシステム情報を受信するように構成され、前記サービングセルのシステム情報期間は前記サービングセルの前記同期信号期間と同じである、請求項３９に記載の装置。
【請求項４９】
前記処理部はさらに、前記サービングセルの前記サブフレーム長に基づいて前記サービングセルのシステム情報期間を決定するように構成され、
前記トランシーバ部はさらに、
前記処理部により決定された前記同期信号期間、前記サービングセルの前記システム情報期間、および前記サブフレーム長に基づいて情報を前記サービングセルにおいて送信または受信するように構成される、請求項３９に記載の装置。
【請求項５０】
前記処理部はさらに、
前記サービングセルの前記サブフレーム長に基づいて、前記サービングセルの前記サブフレーム長に対応するサブフレーム長セットを決定し、
前記サブフレーム長セット中の最大サブフレーム長に基づいて前記サービングセルの前記システム情報期間を決定するように構成される、請求項４９に記載の装置。
【請求項５１】
前記処理部はさらに、
前記サービングセルの同期信号に対応するシーケンスを決定し、
前記同期信号に対応する前記シーケンスに基づいて前記サービングセルの前記サブフレーム長を決定するように構成される、請求項３９に記載の装置。
【請求項５２】
前記処理部はさらに、
前記同期信号に対応する前記シーケンスが第１のシーケンスである場合に、前記サービングセルの前記サブフレーム長は第１のサブフレーム長であると決定する、または
前記同期信号に対応する前記シーケンスが第２のシーケンスである場合に、前記サービングセルの前記サブフレーム長は第２のサブフレーム長であると決定するように構成される、請求項５１に記載の装置。
【請求項５３】
前記処理部はさらに、
前記同期信号に対応する前記シーケンスが第３のシーケンスである場合に、前記サービングセルの前記サブフレーム長は第３のサブフレーム長であると決定する、または
前記同期信号に対応する前記シーケンスが第４のシーケンスである場合に、前記サービングセルの前記サブフレーム長は第４のサブフレーム長であると決定するように構成される、請求項５１に記載の装置。
【請求項５４】
前記第１のサブフレーム長は０．１２５ミリ秒であり、前記第２のサブフレーム長は０．２５ミリ秒である、請求項５２に記載の装置。
【請求項５５】
前記第３のサブフレーム長は０．５ミリ秒であり、前記第４のサブフレーム長は１ミリ秒である、請求項５３に記載の装置。
【請求項５６】
前記同期信号は、プライマリ同期信号である、請求項５１から５５のいずれか一項に記載の装置。
【請求項５７】
前記同期信号は、前記同期信号を運ぶサブフレームの最初のＮ個のシンボル内に位置し、Ｎは１以上である、請求項５１から５６のいずれか一項に記載の装置。
【請求項５８】
情報送受信装置であって、
サービングセルのサブフレーム長を決定するように構成される処理部であって、
前記処理部はさらに、前記サービングセルの同期信号期間を前記サービングセルの前記サブフレーム長に基づいて決定するように構成される、処理部と、
前記同期信号期間に基づいて同期信号を前記サービングセル内で送信するように構成されるトランシーバ部であって、
前記トランシーバ部はさらに、前記サービングセルの前記サブフレーム長に基づいて情報を前記サービングセル内で送信または受信するように構成される、トランシーバ部と
を含む、情報送受信装置。
【請求項５９】
前記処理部はさらに、
前記サービングセルの前記サブフレーム長に基づいて、前記サービングセルの前記サブフレーム長に対応するサブフレーム長セットを決定し、
前記サブフレーム長セット中の最大サブフレーム長に基づいて前記サービングセルの前記同期信号期間を決定するように構成される、請求項５８に記載の装置。
【請求項６０】
前記サービングセルの前記サブフレーム長に対応する前記サブフレーム長セットは、第１のサブフレーム長セットおよび第２のサブフレーム長セットのうちの１つであり、前記第１のサブフレーム長セット中の任意のサブフレーム長は、前記第２のサブフレーム長セット中の任意のサブフレーム長より大きい、請求項５９に記載の装置。
【請求項６１】
前記サービングセルの同期信号期間であり、前記第１のサブフレーム長セットに基づいて決定される同期信号期間は、前記サービングセルの同期信号期間であり、前記第２のサブフレーム長セットに基づいて決定される同期信号期間より長い、請求項６０に記載の装置。
【請求項６２】
前記第１のサブフレーム長セットは、第１のサブフレーム長および第２のサブフレーム長を含み、前記第１のサブフレーム長は０．５ミリ秒であり、前記第２のサブフレーム長は１ミリ秒であり、前記第２のサブフレーム長セットは、第３のサブフレーム長および第４のサブフレーム長を含み、前記第３のサブフレーム長は０．１２５ミリ秒であり、前記第４のサブフレーム長は０．２５ミリ秒である、請求項６０または６１に記載の装置。
【請求項６３】
前記サービングセルの前記サブフレーム長に対応する前記サブフレーム長セットは、第１のサブフレーム長および第２のサブフレーム長を含み、前記第１のサブフレーム長は０．５ミリ秒であり、前記第２のサブフレーム長は１ミリ秒である、または
前記サービングセルの前記サブフレーム長に対応する前記サブフレーム長セットは、第３のサブフレーム長および第４のサブフレーム長を含み、前記第３のサブフレーム長は０．１２５ミリ秒であり、前記第３のサブフレーム長は０．２５ミリ秒である、請求項５９に記載の装置。
【請求項６４】
前記処理部はさらに、
前記サービングセルの前記サブフレーム長が０．１２５ミリ秒である場合に、０．２５ミリ秒のサブフレーム長に基づいて前記サービングセルの前記同期信号期間を決定する、
前記サービングセルの前記サブフレーム長が０．２５ミリ秒である場合に、０．２５ミリ秒のサブフレーム長に基づいて前記サービングセルの前記同期信号期間を決定する、
前記サービングセルの前記サブフレーム長が０．５ミリ秒である場合に、１ミリ秒のサブフレーム長に基づいて前記サービングセルの前記同期信号期間を決定する、または
前記サービングセルの前記サブフレーム長が１ミリ秒である場合に、１ミリ秒のサブフレーム長に基づいて前記サービングセルの前記同期信号期間を決定するように構成される、請求項５８に記載の装置。
【請求項６５】
前記処理部はさらに、
前記サービングセルの前記サブフレーム長が０．１２５ミリ秒である場合に、前記サービングセルの前記同期信号期間が０．２５ミリ秒の正の整数倍であると決定する、
前記サービングセルの前記サブフレーム長が０．２５ミリ秒である場合に、前記サービングセルの前記同期信号期間が０．２５ミリ秒の正の整数倍であると決定する、
前記サービングセルの前記サブフレーム長が０．５ミリ秒である場合に、前記サービングセルの前記同期信号期間が１ミリ秒の正の整数倍であると決定する、または
前記サービングセルの前記サブフレーム長が１ミリ秒である場合に、前記サービングセルの前記同期信号期間が１ミリ秒の正の整数倍であると決定するように構成される、請求項５８に記載の装置。
【請求項６６】
前記処理部はさらに、
前記サービングセルの前記サブフレーム長が０．１２５ミリ秒である場合に、前記サービングセルの前記同期信号期間が１．２５ミリ秒であると決定する、
前記サービングセルの前記サブフレーム長が０．２５ミリ秒である場合に、前記サービングセルの前記同期信号期間が１．２５ミリ秒であると決定する、
前記サービングセルの前記サブフレーム長が０．５ミリ秒である場合に、前記サービングセルの前記同期信号期間が５ミリ秒であると決定する、または
前記サービングセルの前記サブフレーム長が１ミリ秒である場合に、前記サービングセルの前記同期信号期間が５ミリ秒であると決定するように構成される、請求項５８に記載の装置。
【請求項６７】
前記トランシーバ部はさらに、前記サービングセルのシステム情報を送信するように構成され、前記サービングセルのシステム情報期間は前記サービングセルの前記同期信号期間と同じである、請求項５８に記載の装置。
【請求項６８】
前記処理部は、前記サービングセルの前記サブフレーム長に基づいて前記サービングセルのシステム情報期間を決定するように構成され、
前記トランシーバ部はさらに、
前記処理部により決定された前記同期信号期間、前記サービングセルの前記システム情報期間、および前記サブフレーム長に基づいて前記サービングセルにおいて情報を送信または受信するように構成される、請求項５８に記載の装置。
【請求項６９】
前記処理部はさらに、
前記サービングセルの前記サブフレーム長に基づいて、前記サービングセルの前記サブフレーム長に対応するサブフレーム長セットを決定し、
前記サブフレーム長セット中の最大サブフレーム長に基づいて前記サービングセルの前記システム情報期間を決定するように構成される、請求項６８に記載の装置。
【請求項７０】
前記トランシーバ部はさらに、
前記サービングセルの前記サブフレーム長に基づいて前記同期信号のシーケンスを決定し、
前記同期信号期間および前記同期信号の前記シーケンスに基づいて前記サービングセルにおいて前記同期信号を送信するように構成される、請求項５８に記載の装置。
【請求項７１】
前記トランシーバ部はさらに、
前記サービングセルの前記サブフレーム長が第１のサブフレーム長である場合に、前記同期信号に対応する前記シーケンスは第１のシーケンスであると決定する、または
前記サービングセルの前記サブフレーム長が第２のサブフレーム長である場合に、前記同期信号に対応する前記シーケンスは第２のシーケンスであると決定するように構成される、請求項７０に記載の装置。
【請求項７２】
前記トランシーバ部はさらに、
前記サービングセルの前記サブフレーム長が第３のサブフレーム長である場合に、前記同期信号に対応する前記シーケンスは第３のシーケンスであると決定する、または
前記サービングセルの前記サブフレーム長が第４のサブフレーム長である場合に、前記同期信号に対応する前記シーケンスは第４のシーケンスであると決定するように構成される、請求項７１に記載の装置。
【請求項７３】
前記第１のサブフレーム長は０．１２５ミリ秒であり、前記第２のサブフレーム長は０．２５ミリ秒である、請求項７１に記載の装置。
【請求項７４】
前記第１のサブフレーム長は０．５ミリ秒であり、前記第２のサブフレーム長は１ミリ秒である、請求項７２に記載の装置。
【請求項７５】
前記同期信号は、プライマリ同期信号である、請求項６０から７４のいずれか一項に記載の装置。
【請求項７６】
前記同期信号は、前記同期信号を運ぶサブフレームの最初のＮ個のシンボル内に位置し、Ｎは１以上である、請求項６０から７５のいずれか一項に記載の装置。
【請求項７７】
情報送受信システムであって、前記システムはユーザ機器および基地局を備え、
前記ユーザ機器は、請求項３９から５７のいずれか一項に記載の前記情報送受信装置を含み、
前記基地局は、請求項５８から７６のいずれか一項に記載の前記情報送受信装置を含む、情報送受信システム。
【発明の詳細な説明】
【技術分野】
【０００１】
本発明は、ネットワークアプリケーション分野に関し、特に、情報送受信方法、装置、およびシステムに関する。
【０００２】
［関連出願の参照］
本願は、２０１６年５月１２日に中国特許庁に出願され、かつ「ＩＮＦＯＲＭＡＴＩＯＮ  ＴＲＡＮＳＣＥＩＶＩＮＧ  ＭＥＴＨＯＤ，  ＡＰＰＡＲＡＴＵＳ，  ＡＮＤ  ＳＹＳＴＥＭ」と題する中国特許出願第２０１６１０３１９９９．Ｘ号の優先権を主張し、それは、その全体において参照により本明細書に組み込まれるものとする。
【背景技術】
【０００３】
５Ｇネットワーク、すなわち新たな無線技術（Ｎｅｗ  Ｒａｄｉｏ、ＮＲ）ネットワークは、異なるサービス、異なる展開シナリオ、および異なるスペクトルのサポートを含むより高度なシステム性能をサポートすることを目的とする。異なるサービスは、高度化モバイルブロードバンド（ｅｎｈａｎｃｅｄ  Ｍｏｂｉｌｅ  Ｂｒｏａｄｂａｎｄ、ｅＭＢＢ）サービス、マシンタイプ通信（Ｍａｃｈｉｎｅ  Ｔｙｐｅ  Ｃｏｍｍｕｎｉｃａｔｉｏｎ、ＭＴＣ）サービス、高信頼および低遅延通信（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ、ＵＲＬＬＣ）サービス、マルチメディアブロードキャストマルチキャストサービス（Ｍｕｌｔｉｍｅｄｉａ  Ｂｒｏａｄｃａｓｔ  Ｍｕｌｔｉｃａｓｔ  Ｓｅｒｖｉｃｅ、ＭＢＭＳ）、測位サービスなどを含む。異なる展開シナリオは、屋内ホットスポット（ｉｎｄｏｏｒ  ｈｏｔｓｐｏｔ）シナリオ、密集都市部（ｄｅｎｓｅ  ｕｒｂａｎ）シナリオ、郊外シナリオ、都市部マクロ（Ｕｒｂａｎ  Ｍａｃｒｏ）カバレッジシナリオ、高速鉄道シナリオなどを含む。５Ｇは、最大１００ギガヘルツ（ＧＨｚ）のスペクトル範囲をサポートし、主周波数帯域は６ＧＨｚ以下であり、副周波数帯域は６ＧＨｚよりも高域である。
【０００４】
異なるサービス、異なる展開シナリオ、および異なるスペクトルは、異なる特徴を有し、システムパラメータに対するそれらのそれぞれの要件（ヌメロジーとも称す）は異なる。高性能、異なるサービス、異なる展開シナリオ、および異なるスペクトルでサポートするために、５Ｇはシステムパラメータの複数のセットをサポートする。例えば、５Ｇは異なるサブキャリア間隔をサポートし、異なるサブキャリア間隔は異なるシステムパラメータに対応し、同じサブキャリア間隔は異なるサブフレーム長をサポートし得る。現在、サブフレーム長は、送信時間間隔（Ｔｒａｎｓｍｉｓｓｉｏｎ  Ｔｉｍｅ  Ｉｎｔｅｒｖａｌ、ＴＴＩ）長と呼ばれることもある、またはサブフレーム長は送信時間単位（Ｔｒａｎｓｍｉｓｓｉｏｎ  Ｔｉｍｅ  Ｕｎｉｔ、ＴＴＵ）と呼ばれることもある。１ミリ秒（ｍｓ）未満のサブフレーム長のような比較的小さいサブフレーム長は、低遅延サービス、例えばＵＲＬＬＣに使用されてもよい。１ｍｓのサブフレーム長などの比較的大きなサブフレーム長は、待ち時間要求が高くないサービス、データパケットサイズが比較的大きいサービスなど、例えばｅＭＢＢに使用されてもよい。
【０００５】
５Ｇ通信ネットワークにおいて異なるサブフレーム長に対応する同期信号を設計する方法は、早急に解決される必要がある課題である。
【発明の概要】
【０００６】
５Ｇ通信ネットワークにおいて異なるサブフレーム長に対応する同期信号を設定する方法についての課題を解決するために、本発明の実施形態は、情報送受信方法、装置、およびシステムを提供する。技術的解決策は以下の通りである。
【０００７】
第１の態様によれば、情報送受信方法が提供され、方法は、ユーザ機器により、サービングセルのサブフレーム長を決定するステップと、ユーザ機器により、サービングセルのサブフレーム長に基づいてサービングセルの同期信号期間を決定するステップと、ユーザ機器により、同期信号期間およびサブフレーム長に基づいてサービングセルにおいて情報を送信または受信するステップとを含む。サービングセルの同期信号期間は、サービングセルのサブフレーム長に基づいて決定され、その結果５Ｇ通信ネットワークにおける異なるサブフレーム長に対応する同期信号の設計問題が解決される。
【０００８】
可能な設計において、ユーザ機器により、サービングセルのサブフレーム長に基づいてサービングセルの同期信号期間を決定するステップは、ユーザ機器により、サービングセルのサブフレーム長に基づいて、サービングセルのサブフレーム長に対応するサブフレーム長セットを決定するステップと、ユーザ機器により、サブフレーム長セット中の最大サブフレーム長に基づいてサービングセルの同期信号期間を決定するステップとを含む。サービングセルの同期信号期間は、サービングセルのサブフレーム長に対応するサブフレーム長セット中の最大サブフレーム長を用いて決定されるため、同じサブフレーム長セットに属する異なるサブフレーム長は唯１つの同期信号設計に対応し、設計の複雑性が低減される。さらに、同期信号オーバーヘッドが減少されることがあり、適切な待ち時間が確保されつつリソース利用が改善され得る。
【０００９】
可能な設計において、ユーザ機器により、サービングセルのサブフレーム長に基づいてサービングセルの同期信号期間を決定するステップは、ユーザ機器により、サービングセルのサブフレーム長に基づいて、サービングセルのサブフレーム長に対応するサブフレーム長セットを決定するステップと、ユーザ機器により、サブフレーム長セット中の最小サブフレーム長に基づいてサービングセルの同期信号期間を決定するステップとを含む。サービングセルの同期信号期間は、サービングセルのサブフレーム長に対応するサブフレーム長セット中の最小サブフレーム長を用いて決定されるため、同じサブフレーム長セットに属する異なるサブフレーム長は唯１つの同期信号設計に対応し、設計の複雑性が低減される。さらに、ユーザ機器のセルアクセス時間およびサービス待ち時間は、適切なオーバーヘッドが確保されつつ改善され得る。
【００１０】
可能な設計において、サービングセルのサブフレーム長に対応するサブフレーム長セットは、第１のサブフレーム長セットおよび第２のサブフレーム長セットのうちの１つであり、第１のサブフレーム長セット中の任意のサブフレーム長は、第２のサブフレーム長セット中の任意のサブフレーム長より大きい。
【００１１】
可能な設計において、サービングセルの同期信号期間であり、第１のサブフレーム長セットに基づいて決定される同期信号期間は、サービングセルの同期信号期間であり、第２のサブフレーム長セットに基づいて決定される同期信号期間より長い。
【００１２】
可能な設計において、第１のサブフレーム長セットは、第１のサブフレーム長および第２のサブフレーム長を含み、第１のサブフレーム長は０．５ミリ秒であり、第２のサブフレーム長は１ミリ秒であり、第２のサブフレーム長セットは、第３のサブフレーム長および第４のサブフレーム長を含み、第３のサブフレーム長は０．１２５ミリ秒であり、第４のサブフレーム長は０．２５ミリ秒である。同じサブキャリア間隔に対応する異なるサブフレーム長は、２つのサブフレーム長セットにグループ分けされ、２つの最短サブフレームは同じサブフレーム長セットに属し、２つの最長サブフレームは同じサブフレーム長セットに属する。したがって、同じ同期信号設計が同じサブフレーム長セットのために用いられるときに、適切なリソースが適切な待ち時間要求を確実にするために使用されることができる。
【００１３】
可能な設計において、サービングセルのサブフレーム長に対応するサブフレーム長セットは、第１のサブフレーム長および第２のサブフレーム長を含み、第１のサブフレーム長は０．５ミリ秒であり、第２のサブフレーム長は１ミリ秒である、またはサービングセルのサブフレーム長に対応するサブフレーム長セットは、第３のサブフレーム長および第４のサブフレーム長を含み、第３のサブフレーム長は０．１２５ミリ秒であり、第３のサブフレーム長は０．２５ミリ秒である。
【００１４】
可能な設計において、ユーザ機器により、サービングセルのサブフレーム長に基づいてサービングセルの同期信号期間を決定するステップは、サービングセルのサブフレーム長が０．１２５ミリ秒である場合に、ユーザ機器により、０．２５ミリ秒のサブフレーム長に基づいてサービングセルの同期信号期間を決定するステップ、サービングセルのサブフレーム長が０．２５ミリ秒である場合に、ユーザ機器により、０．２５ミリ秒のサブフレーム長に基づいてサービングセルの同期信号期間を決定するステップ、サービングセルのサブフレーム長が０．５ミリ秒である場合に、ユーザ機器により、１ミリ秒のサブフレーム長に基づいてサービングセルの同期信号期間を決定するステップ、またはサービングセルのサブフレーム長が１ミリ秒である場合に、ユーザ機器により、１ミリ秒のサブフレーム長に基づいてサービングセルの同期信号期間を決定するステップを含む。
【００１５】
可能な設計において、ユーザ機器により、サービングセルのサブフレーム長に基づいてサービングセルの同期信号期間を決定するステップは、サービングセルのサブフレーム長が０．１２５ミリ秒である場合に、ユーザ機器により、サービングセルの同期信号期間が０．２５ミリ秒の正の整数倍であると決定するステップ、サービングセルのサブフレーム長が０．２５ミリ秒である場合に、ユーザ機器により、サービングセルの同期信号期間が０．２５ミリ秒の正の整数倍であると決定するステップ、サービングセルのサブフレーム長が０．５ミリ秒である場合に、ユーザ機器により、サービングセルの同期信号期間が１ミリ秒の正の整数倍であると決定するステップ、またはサービングセルのサブフレーム長が１ミリ秒である場合に、ユーザ機器により、サービングセルの同期信号期間が１ミリ秒の正の整数倍であると決定するステップを含む。
【００１６】
可能な設計において、ユーザ機器により、サービングセルのサブフレーム長に基づいてサービングセルの同期信号期間を決定するステップは、サービングセルのサブフレーム長が０．１２５ミリ秒である場合に、ユーザ機器により、サービングセルの同期信号期間が１．２５ミリ秒であると決定するステップ、サービングセルのサブフレーム長が０．２５ミリ秒である場合に、ユーザ機器により、サービングセルの同期信号期間が１．２５ミリ秒であると決定するステップ、サービングセルのサブフレーム長が０．５ミリ秒である場合に、ユーザ機器により、サービングセルの同期信号期間が５ミリ秒であると決定するステップ、またはサービングセルのサブフレーム長が１ミリ秒である場合に、ユーザ機器により、サービングセルの同期信号期間が５ミリ秒であると決定するステップを含む。
【００１７】
可能な設計において、方法はさらに、ユーザ機器により、サービングセルのシステム情報を受信するステップを含み、サービングセルのシステム情報期間はサービングセルの同期信号期間と同じである。
【００１８】
可能な設計において、方法はさらに、ユーザ機器により、サービングセルのサブフレーム長に基づいてサービングセルのシステム情報期間を決定するステップを含み、ユーザ機器により、同期信号期間およびサブフレーム長に基づいてサービングセルにおいて情報を送信または受信するステップはさらに、ユーザ機器により、同期信号期間、サービングセルのシステム情報期間、およびサブフレーム長に基づいてサービングセルにおいて情報を送信または受信するステップを含む。
【００１９】
可能な設計において、ユーザ機器により、サービングセルのサブフレーム長に基づいてサービングセルのシステム情報期間を決定するステップは、ユーザ機器により、サービングセルのサブフレーム長に基づいて、サービングセルのサブフレーム長に対応するサブフレーム長セットを決定するステップと、ユーザ機器により、サブフレーム長セット中の最大サブフレーム長に基づいてサービングセルのシステム情報期間を決定するステップとを含む。
【００２０】
可能な設計において、ユーザ機器により、サービングセルのサブフレーム長を決定するステップは、ユーザ機器により、サービングセルの同期信号に対応するシーケンスを決定するステップと、ユーザ機器により、同期信号に対応するシーケンスに基づいてサービングセルのサブフレーム長を決定するステップとを含む。
【００２１】
可能な設計において、ユーザ機器により、同期信号に対応するシーケンスに基づいてサービングセルのサブフレーム長を決定するステップは、同期信号に対応するシーケンスが第１のシーケンスである場合に、ユーザ機器により、サービングセルのサブフレーム長は第１のサブフレーム長であると決定するステップを、または同期信号に対応するシーケンスが第２のシーケンスである場合に、ユーザ機器により、サービングセルのサブフレーム長は第２のサブフレーム長であると決定するステップを含む。
【００２２】
可能な設計において、ユーザ機器により、同期信号に対応するシーケンスに基づいてサービングセルのサブフレーム長を決定するステップは、同期信号に対応するシーケンスが第３のシーケンスである場合に、ユーザ機器により、サービングセルのサブフレーム長は第３のサブフレーム長であると決定するステップを、または同期信号に対応するシーケンスが第４のシーケンスである場合に、ユーザ機器により、サービングセルのサブフレーム長は第４のサブフレーム長であると決定するステップを含む。
【００２３】
可能な設計において、第１のサブフレーム長は０．１２５ミリ秒であり、第２のサブフレーム長は０．２５ミリ秒である。
【００２４】
可能な設計において、第３のサブフレーム長は０．５ミリ秒であり、第４のサブフレーム長は１ミリ秒である。
【００２５】
可能な設計において、同期信号はプライマリ同期信号である。
【００２６】
可能な設計において、同期信号は、同期信号を運ぶサブフレームの最初のＮ個のシンボル内に位置し、Ｎは１以上である。
【００２７】
第２の態様によれば、情報送受信方法が提供され、情報送受信方法は、基地局により、サービングセルのサブフレーム長を決定するステップと、基地局により、サービングセルのサブフレーム長に基づいてサービングセルの同期信号期間を決定するステップと、基地局により、同期信号期間に基づいてサービングセルにおいて同期信号を送信するステップと、基地局により、サービングセルのサブフレーム長に基づいてサービングセルにおいて情報を送信または受信するステップとを含む。
【００２８】
可能な設計において、基地局により、サービングセルのサブフレーム長に基づいてサービングセルの同期信号期間を決定するステップは、基地局により、サービングセルのサブフレーム長に基づいて、サービングセルのサブフレーム長に対応するサブフレーム長セットを決定するステップと、基地局により、サブフレーム長セット中の最大サブフレーム長に基づいてサービングセルの同期信号期間を決定するステップとを含む。
【００２９】
可能な設計において、基地局により、サービングセルのサブフレーム長に基づいてサービングセルの同期信号期間を決定するステップは、基地局により、サービングセルのサブフレーム長に基づいて、サービングセルのサブフレーム長に対応するサブフレーム長セットを決定するステップと、基地局により、サブフレーム長セット中の最小サブフレーム長に基づいてサービングセルの同期信号期間を決定するステップとを含む。サービングセルの同期信号期間はサービングセルのサブフレーム長に対応するサブフレーム長セット中の最小サブフレーム長を用いて決定されるため、同じサブフレーム長セットに属する異なるサブフレーム長は、１つだけの同期信号設計に対応し、設計の複雑性が低減される。さらに、ユーザ機器のセルアクセス時間およびサービス待ち時間は、適切なオーバーヘッドが確保されつつ改善され得る。
【００３０】
可能な設計において、サービングセルのサブフレーム長に対応するサブフレーム長セットは、第１のサブフレーム長セットおよび第２のサブフレーム長セットのうちの１つであり、第１のサブフレーム長セット中の任意のサブフレーム長は、第２のサブフレーム長セット中の任意のサブフレーム長より大きい。
【００３１】
可能な設計において、サービングセルの同期信号期間であり、第１のサブフレーム長セットに基づいて決定される同期信号期間は、サービングセルの同期信号期間であり、第２のサブフレーム長セットに基づいて決定される同期信号期間より長い。
【００３２】
可能な設計において、第１のサブフレーム長セットは第１のサブフレーム長および第２のサブフレーム長を含み、第１のサブフレーム長は０．５ミリ秒であり、第２のサブフレーム長は１ミリ秒であり、第２のサブフレーム長セットは第３のサブフレーム長および第４のサブフレーム長を含み、第３のサブフレーム長は０．１２５ミリ秒であり、第３のサブフレーム長は０．２５ミリ秒である。
【００３３】
可能な設計において、サービングセルのサブフレーム長に対応するサブフレーム長セットは、第１のサブフレーム長および第２のサブフレーム長を含み、第１のサブフレーム長は０．５ミリ秒であり、第２のサブフレーム長は１ミリ秒である、またはサービングセルのサブフレーム長に対応するサブフレーム長セットは、第３のサブフレーム長および第４のサブフレーム長を含み、第３のサブフレーム長は０．１２５ミリ秒であり、第４のサブフレーム長は０．２５ミリ秒である。
【００３４】
可能な設計において、基地局により、サービングセルのサブフレーム長に基づいてサービングセルの同期信号期間を決定するステップは、サービングセルのサブフレーム長が０．１２５ミリ秒である場合に、基地局により、０．２５ミリ秒のサブフレーム長に基づいてサービングセルの同期信号期間を決定するステップを、サービングセルのサブフレーム長が０．２５ミリ秒である場合に、基地局により、０．２５ミリ秒のサブフレーム長に基づいてサービングセルの同期信号期間を決定するステップを、サービングセルのサブフレーム長が０．５ミリ秒である場合に、基地局により、１ミリ秒のサブフレーム長に基づいてサービングセルの同期信号期間を決定するステップを、またはサービングセルのサブフレーム長が１ミリ秒である場合に、基地局により、１ミリ秒のサブフレーム長に基づいてサービングセルの同期信号期間を決定するステップを含む。
【００３５】
可能な設計において、基地局により、サービングセルのサブフレーム長に基づいてサービングセルの同期信号期間を決定するステップは、サービングセルのサブフレーム長が０．１２５ミリ秒である場合に、基地局により、サービングセルの同期信号期間が０．２５ミリ秒の正の整数倍であると決定するステップ、サービングセルのサブフレーム長が０．２５ミリ秒である場合に、ユーザ機器により、サービングセルの同期信号期間が０．２５ミリ秒の正の整数倍であると決定するステップ、サービングセルのサブフレーム長が０．５ミリ秒である場合に、基地局により、サービングセルの同期信号期間が１ミリ秒の正の整数倍であると決定するステップ、またはサービングセルのサブフレーム長が１ミリ秒である場合に、基地局により、サービングセルの同期信号期間が１ミリ秒の正の整数倍であると決定するステップを含む。
【００３６】
可能な設計において、基地局により、サービングセルのサブフレーム長に基づいてサービングセルの同期信号期間を決定するステップは、サービングセルのサブフレーム長が０．１２５ミリ秒である場合に、基地局により、サービングセルの同期信号期間が１．２５ミリ秒であると決定するステップ、サービングセルのサブフレーム長が０．２５ミリ秒である場合に、基地局により、サービングセルの同期信号期間が１．２５ミリ秒であると決定するステップ、サービングセルのサブフレーム長が０．５ミリ秒である場合に、基地局により、サービングセルの同期信号期間が５ミリ秒であると決定するステップ、またはサービングセルのサブフレーム長が１ミリ秒である場合に、基地局により、サービングセルの同期信号期間が５ミリ秒であると決定するステップを含む。
【００３７】
可能な設計において、方法はさらに、基地局により、サービングセルのシステム情報を送信するステップを含み、サービングセルのシステム情報期間はサービングセルの同期信号期間と同じである。
【００３８】
可能な設計において、方法はさらに、基地局により、サービングセルのサブフレーム長に基づいてサービングセルのシステム情報期間を決定するステップを含み、基地局により、サービングセルのサブフレーム長に基づいてサービングセルにおいて情報を送信または受信するステップはさらに、基地局により、同期信号期間、サービングセルのシステム情報期間、およびサブフレーム長に基づいてサービングセルにおいて情報を送信または受信するステップを含む。
【００３９】
可能な設計において、基地局により、サービングセルのサブフレーム長に基づいてサービングセルのシステム情報期間を決定するステップは、基地局により、サービングセルのサブフレーム長に基づいて、サービングセルのサブフレーム長に対応するサブフレーム長セットを決定するステップと、基地局により、サブフレーム長セット中の最大サブフレーム長に基づいてサービングセルのシステム情報期間を決定するステップとを含む。
【００４０】
可能な設計において、基地局により、同期信号期間に基づいてサービングセルにおいて同期信号を送信するステップは、基地局により、サービングセルのサブフレーム長に基づいて同期信号のシーケンスを決定するステップと、基地局により、同期信号期間および同期信号のシーケンスに基づいてサービングセルにおいて同期信号を送信するステップと含む。
【００４１】
可能な設計において、基地局により、同期信号期間のシーケンスをサービングセルのサブフレーム長に基づいて決定するステップは、サービングセルのサブフレーム長が第１のサブフレーム長である場合に、基地局により、同期信号に対応するシーケンスは第１のシーケンスであると決定するステップ、またはサービングセルのサブフレーム長が第２のサブフレーム長である場合に、基地局により、同期信号に対応するシーケンスは第２のシーケンスであると決定するステップを含む。
【００４２】
可能な設計において、基地局により、サービングセルのサブフレーム長に基づいて同期信号期間のシーケンスを決定するステップは、サービングセルのサブフレーム長が第３のサブフレーム長である場合に、基地局により、同期信号に対応するシーケンスは第３のシーケンスであると決定するステップ、またはサービングセルのサブフレーム長が第４のサブフレーム長である場合に、基地局により、同期信号に対応するシーケンスは第４のシーケンスであると決定するステップを含む。
【００４３】
可能な設計において、第１のサブフレーム長は０．１２５ミリ秒であり、第２のサブフレーム長は０．２５ミリ秒である。
【００４４】
可能な設計において、第１のサブフレーム長は０．５ミリ秒であり、第２のサブフレーム長は１ミリ秒である。
【００４５】
可能な設計において、同期信号は、プライマリ同期信号である。
【００４６】
可能な設計において、同期信号は、同期信号を運ぶサブフレームの最初のＮ個のシンボル内に位置し、Ｎは１以上である。
【００４７】
第３の態様によれば、情報送受信装置が提供され、情報送受信装置は、少なくとも１つの部を含み、情報送受信装置の部は、前述の第１の態様、または第１の態様の可能な設計のいずれか１つにおいて提供される情報送受信方法における対応するステップを実装するように個別に構成される。
【００４８】
第４の態様によれば、情報送受信装置が提供され、情報送受信装置は、少なくとも１つの部を含み、情報送受信装置の部は、前述の第２の態様、または第２の態様の可能な設計のいずれか１つにおいて提供される情報送受信方法における対応するステップを実装するように個別に構成される。
【００４９】
第５の態様によれば、ユーザ機器が提供され、ユーザ機器は、プロセッサと、プロセッサに接続されたメモリ、送信機、および受信機とを含み、プロセッサは、前述の第１の態様、または第１の態様の可能な設計のいずれか１つにおいて提供される情報送受信方法におけるステップを実装するように構成される。
【００５０】
第６の態様によれば、基地局が提供され、基地局は、少なくともプロセッサと、プロセッサに接続されたメモリ、送信機、および受信機とを含み、プロセッサは、前述の第２の態様、または第２の態様の可能な設計のいずれか１つにおいて提供される情報送受信方法におけるステップを実装するように構成される。
【００５１】
第７の態様によれば、コンピュータ可読媒体が提供され、コンピュータ可読媒体は、前述の第１の態様、または第１の態様の可能な設計のいずれか１つにおいて提供される情報送受信方法を実施するための命令を格納する。
【００５２】
第８の態様によれば、コンピュータ可読記憶媒体が提供され、本コンピュータ可読記憶媒体は、前述の第２の態様、または第２の態様の可能な設計のいずれか１つにおいて提供される情報送受信方法を実装するための命令を格納する。
【００５３】
第９の態様によれば、情報送受信システムが提供され、システムは、第３の態様または第５の態様において提供されるユーザ機器、および第４の態様または第６の態様において提供される基地局を含む。
【図面の簡単な説明】
【００５４】
【図１】図１は、本発明のいくつかの実施形態による情報送受信方法で使用される実装環境の概略図である。
【００５５】
【図２】図２は、本発明の実施形態によるユーザ機器の概略構成図である。
【図３】図３は、本発明の実施形態による基地局の概略構成図である。
【図４Ａ】図４Ａは、本発明の実施形態による情報送受信方法のフローチャートである。
【図４Ｂ】図４Ｂは、本発明の別の実施形態による情報送受信方法のフローチャートである。
【図４Ｃ】図４Ｃは、本発明の実施形態によるユーザ機器によりサービングセルのサブフレーム長を決定するフローチャートである。
【図４Ｄ】図４Ｄは、本発明の実施形態によるユーザ機器によりサービングセルのサブフレーム長を決定するフローチャートである。
【図４Ｅ】図４Ｅは、本発明のさらに別の実施形態による情報送受信方法のフローチャートである。
【図５】図５は、本発明の実施形態による情報送受信装置のブロック図である。
【図６】図６は、本発明の別の実施形態による情報送受信装置のブロック図である。
【発明を実施するための形態】
【００５６】
本発明の目的、技術的解決策、および利点をより明確にするために、以下においてさらに、添付図面を参照して本発明の実装について詳細に説明する。
【００５７】
図１は、本発明のいくつかの実施形態による情報送受信方法で使用される実装環境の概略図である。実装環境は、ユーザ機器１１０および基地局１２０を含む。
【００５８】
ユーザ機器１１０は、サービングセルを使用して基地局１２０と情報を交換する。ユーザ機器１１０は、携帯電話、タブレットコンピュータ、パーソルコンピュータ（ｐｅｒｓｏｎａｌ  ｃｏｍｐｕｔｅｒ、ＰＣ）、マルチメディア再生装置などであってもよい。ユーザ機器１１０および基地局１２０は、ネットワークを使用することにより互いに通信する。
【００５９】
ユーザ機器１１０の構造については、図２を参照されたい。ユーザ機器１１０は、プロセッサ２１、トランシーバ２２、およびメモリ２３を含む。
【００６０】
プロセッサ２１は、１つまたは複数の処理コアを含む。プロセッサ２１は、ソフトウェアプログラムを実行し、様々な機能アプリケーションおよび処理データを実装する。
【００６１】
トランシーバ２２は、別の装置と通信するように構成されることがあり、例えば、基地局１２０と通信し得る。
【００６２】
メモリ２３はプロセッサ２１と接続される。例えば、メモリ２３は、バスを使用してプロセッサ２１と接続される。メモリ２３は、ソフトウェアプログラムを格納するように構成され得る。
【００６３】
メモリ２３は、任意タイプの揮発性または不揮発性ストレージ装置により、またはそれらの組み合わせ、例えば、スタティックランダムアクセスメモリ（ｓｔａｔｉｃ  ｒａｎｄｏｍ  ａｃｃｅｓｓ  ｍｅｍｏｒｙ、ＳＲＡＭ）、電気的に消去可能で書き換え可能な読み出し専用メモリ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ、ＥＥＰＲＯＭ）、消去可能で書き換え可能な読み出し専用メモリ（ｅｒａｓａｂｌｅ  ｐｒｏｇｒａｍｍａｂｌｅ  ｒｅａｄ−ｏｎｌｙ  ｍｅｍｏｒｙ、ＥＰＲＯＭ）、書き込み可能な読み出し専用メモリ（ｐｒｏｇｒａｍｍａｂｌｅ  ｒｅａｄ−ｏｎｌｙ  ｍｅｍｏｒｙ、ＰＲＯＭ）、読み出し専用メモリ（ｒｅａｄ−ｏｎｌｙ  ｍｅｍｏｒｙ、ＰＲＯＭ）、磁気メモリ、フラッシュメモリ、磁気ディスク、または光ディスクにより実装され得る。
【００６４】
当業者は、図２に示されるユーザ機器１１０の構造がユーザ機器１１０への限定を構成しないことを理解し得る。ユーザ機器は、図面に示される構成要素より多くのまたは少ない構成要素を含んでもよいし、いくつかの構成要素を組み合わせてもよいし、または異なる構成要素の構成を有するようにしてもよい。
【００６５】
基地局１２０の構造については、図３を参照されたい。基地局１２０は、プロセッサ３１、トランシーバ３２、およびメモリ３３を含む。
【００６６】
プロセッサ３１は、１つまたは複数の処理コアを含む。プロセッサ３１は、ソフトウェアプログラムを実行し、様々な機能アプリケーションおよび処理データを実装する。
【００６７】
トランシーバ３２は、別の装置と通信するように構成されることがあり、例えば、ユーザ機器１１０と通信し得る。
【００６８】
メモリ３３はプロセッサ３１と接続される。例えば、メモリ３３は、バスを使用してプロセッサ３１と接続される。メモリ３３は、ソフトウェアプログラムを格納するように構成され得る。
【００６９】
メモリ３３は、任意のタイプの揮発性または不揮発性ストレージ装置により、またはそれらの組み合わせ、例えば、スタティックランダムアクセスメモリ、電気的に消去可能で書き込み可能な読み出し専用メモリ、消去可能で書き込み可能な読み出し専用メモリ、書き込み可能な読み出し専用メモリ、読み出し専用メモリ、磁気メモリ、フラッシュメモリ、磁気ディスク、または光ディスクにより実装し得る。
【００７０】
当業者は、図３に示された基地局１２０の構造が基地局１２０への限定を構成しないことを理解し得る。基地局は、図面に示される構成要素より多くのまたは少ない構成要素を含んでもよいし、いくつかの構成要素を組み合わせてもよいし、または異なる構成要素の構成を有するようにしてもよい。
【００７１】
図１に示された環境を参照して、以下、実施例を用い、図４Ａに示されかつユーザ機器により実行される情報送受信方法の手順、および図４Ｂに示されかつ基地局により実行される情報送受信方法の手順を別々に説明する。
【００７２】
図４Ａを参照すると、図４Ａは、本発明の実施形態による情報送受信方法のフローチャートである。情報送受信方法は、図１および図２に示されたユーザ機器１１０に適用される。情報送受信方法は、以下のステップを含む。
【００７３】
ステップ４０１：ユーザ機器は、サービングセルのサブフレーム長を決定する。
【００７４】
このステップにおいて、ユーザ機器がサービングセルのサブフレーム長を決定することはまた、ユーザ機器がサービングセルのＴＴＩ長を決定すること、またはユーザ機器がサービングセルのＴＴＵ長を決定することを意味する。
【００７５】
本発明のすべての実施形態におけるサービングセルは、ユーザ機器に対するネットワーク側装置により設定されるサービングセル、ユーザ機器にサービスを提供するサービングセル、またはユーザ機器によりアクセスされるサービングセルであってもよい。本発明のすべての実施形態におけるサービングセル（ｓｅｒｖｉｎｇ  ｃｅｌｌ）はまた、キャリア（ｃｏｍｐｏｎｅｎｔ  ｃａｒｒｉｅｒ）とも称されることがある。本発明のすべての実施形態におけるサービングセルは、ユーザ機器のプライマリサービングセル（ｐｒｉｍａｒｙ  ｓｅｒｖｉｎｇ  ｃｅｌｌ）であってもよく、またはユーザ機器のセカンダリサービングセル（ｓｅｃｏｎｄａｒｙ  ｓｅｒｖｉｎｇ  ｃｅｌｌ）であってもよい。
【００７６】
このステップにおいて、図４Ｃを参照すると、ユーザ機器がサービングセルのサブフレーム長を決定することは、以下のステップを含んでもよい。
【００７７】
ステップ４０１ａ：ユーザ機器はサービングセルのシステム情報を受信し、システム情報はサブフレーム長指示情報を含む。
【００７８】
ステップ４０１ｂ：ユーザ機器は、サービングセルのサブフレーム長をシステム情報に含まれるサブフレーム長指示情報に基づいて決定する。
【００７９】
ステップ４０１は、図２のプロセッサ２１により実行され得る。
【００８０】
ステップ４０２：ユーザ機器は、サービングセルのサブフレーム長に基づいてサービングセルの同期信号期間を決定する。
【００８１】
このステップにおいて、ユーザ機器がサービングセルのサブフレーム長に基づいてサービングセルの同期信号期間を決定することは、少なくとも以下の５つの手法を含み得る。
【００８２】
第１の手法において、ユーザ機器は、サービングセルのサブフレーム長に基づいて、サービングセルのサブフレーム長に対応するサブフレーム長セットを決定し、ユーザ機器はサブフレーム長セット中の最大サブフレーム長に基づいてサービングセルの同期信号期間を決定する。
【００８３】
第２の手法において、ユーザ機器は、サービングセルのサブフレーム長に基づいて、サービングセルのサブフレーム長に対応するサブフレーム長セットを決定し、ユーザ機器はサブフレーム長セット中の最小サブフレーム長に基づいてサービングセルの同期信号期間を決定する。
【００８４】
第１の手法または第２の手法において、任意選択的に、サービングセルのサブフレーム長に対応するサブフレーム長セットは、第１のサブフレーム長および第２のサブフレーム長を含み、第１のサブフレーム長は０．５ミリ秒であり、第２のサブフレーム長は１ミリ秒であり、またはサービングセルのサブフレーム長に対応するサブフレーム長セットは、第３のサブフレーム長および第４のサブフレーム長を含み、第３のサブフレーム長は０．１２５ミリ秒であり、第４のサブフレーム長は０．２５ミリ秒である。
【００８５】
あるいは、任意選択的に、サービングセルのサブフレーム長に対応するサブフレーム長セットは、第１のサブフレーム長セットおよび第２のサブフレーム長セットのうちの１つであり、第１のサブフレーム長セット中の任意のサブフレーム長は、第２のサブフレーム長セット中の任意のサブフレーム長より大きい。さらに、任意選択的に、サービングセルの同期信号期間であり、第１のサブフレーム長セットに基づいて決定される同期信号期間は、サービングセルの同期信号期間であり、第２のサブフレーム長セットに基づいて決定される同期信号期間より長い。
【００８６】
さらに、任意選択的に、第１のサブフレーム長セットは第１のサブフレーム長および第２のサブフレーム長を含み、第１のサブフレーム長は０．５ミリ秒であり、第２のサブフレーム長は１ミリ秒であり、第２のサブフレーム長セットは第３のサブフレーム長および第４のサブフレーム長を含み、第３のサブフレーム長は０．１２５ミリ秒であり、第３のサブフレーム長は０．２５ミリ秒である。
【００８７】
第３の手法において、サービングセルのサブフレーム長が０．１２５ミリ秒である場合に、ユーザ機器はサービングセルの同期信号期間を０．２５ミリ秒のサブフレーム長に基づいて決定し、サービングセルのサブフレーム長が０．２５ミリ秒である場合に、ユーザ機器はサービングセルの同期信号期間を０．２５ミリ秒のサブフレーム長に基づいて決定し、サービングセルのサブフレーム長が０．５ミリ秒である場合に、ユーザ機器はサービングセルの同期信号期間を１ミリ秒のサブフレーム長に基づいて決定し、またはサービングセルのサブフレーム長が１ミリ秒である場合に、ユーザ機器はサービングセルの同期信号期間を１ミリ秒のサブフレーム長に基づいて決定する。
【００８８】
第４の手法において、サービングセルのサブフレーム長が０．１２５ミリ秒である場合に、ユーザ機器はサービングセルの同期信号期間が０．２５ミリ秒の正の整数倍であると決定し、サービングセルのサブフレーム長が０．２５ミリ秒である場合に、ユーザ機器はサービングセルの同期信号期間が０．２５ミリ秒の正の整数倍であると決定し、サービングセルのサブフレーム長が０．５ミリ秒である場合に、ユーザ機器はサービングセルの同期信号期間が１ミリ秒の正の整数倍であると決定し、またはサービングセルのサブフレーム長が１ミリ秒である場合に、ユーザ機器はサービングセルの同期信号期間が１ミリ秒の正の整数倍であると決定する。
【００８９】
第５の手法において、サービングセルのサブフレーム長が０．１２５ミリ秒である場合に、ユーザ機器はサービングセルの同期信号期間が１．２５ミリ秒であると決定し、サービングセルのサブフレーム長が０．２５ミリ秒である場合に、ユーザ機器はサービングセルの同期信号期間が１．２５ミリ秒であると決定し、サービングセルのサブフレーム長が０．５ミリ秒である場合に、ユーザ機器はサービングセルの同期信号期間が５ミリ秒であると決定し、またはサービングセルのサブフレーム長が１ミリ秒である場合に、ユーザ機器はサービングセルの同期信号期間が５ミリ秒であると決定する。
【００９０】
ステップ４０２、図２のプロセッサ２１により実行され得る。
【００９１】
サービングセルのシステム情報期間および同期信号期間は同じであってもよい。サービングセルのシステム情報期間および同期信号期間が同じ場合、サービングセルの同期信号期間であり、サービングセルのサブフレーム長に基づいてユーザ機器により決定される同期信号期間はまた、サービングセルのシステム情報期間であり、ユーザ機器はさらに、サービングセルのシステム情報をシステム情報期間に基づいて受信してもよい。詳細については、ステップ４０３を参照されたい。ステップ４０３は任意選択的なステップである。
【００９２】
ステップ４０３：ユーザ機器は、サービングセルのシステム情報を受信する。
【００９３】
本発明の本実施形態において、ステップ４０３は任意選択的なステップである。
【００９４】
このステップにおいて、ユーザ機器はサービングセルのシステム情報を受信し、サービングセルのシステム情報期間はサービングセルの同期信号期間と同じであってもよい。
【００９５】
このステップにおいて、ユーザ機器がサービングセルのシステム情報を受信することは、ユーザ機器はサービングセルのサブフレーム長に基づいてサービングセルのシステム情報期間を決定し、ユーザ機器はサービングセルのシステム情報期間に基づいてサービングセルのシステム情報を受信することを含み得る。
【００９６】
さらに、任意選択的に、ユーザ機器がサービングセルのサブフレーム長に基づいてサービングセルのシステム情報期間を決定することは、ユーザ機器は、サービングセルのサブフレーム長に基づいて、サービングセルのサブフレーム長に対応するサブフレーム長セットを決定し、ユーザ機器はサブフレーム長セット中の最大サブフレーム長に基づいてサービングセルのシステム情報期間を決定することを含み得る。
【００９７】
サービングセルのサブフレーム長に対応するサブフレーム長セットの他の説明については、ステップ４０２のサブフレーム長セットの説明を参照されたい。詳細は、本明細書においては再度説明されない。
【００９８】
あるいは、さらに、任意選択的に、ユーザ機器がサービングセルのサブフレーム長に基づいてサービングセルのシステム情報期間を決定することは、ユーザ機器は、サービングセルのサブフレーム長に基づいて、サービングセルのサブフレーム長に対応するサブフレーム長セットを決定し、ユーザ機器は、サービングセルのシステム情報期間をサブフレーム長セット中の最小サブフレーム長に基づいて決定することを含み得る。
【００９９】
サービングセルのサブフレーム長に対応するサブフレーム長セットの他の説明については、ステップ４０２のサブフレーム長セットの説明を参照されたい。詳細は、本明細書においては再度説明されない。
【０１００】
ユーザ機器がサービングセルのサブフレーム長に基づいてサービングセルのシステム情報期間を決定するステップは、図２のトランシーバ２２により実行されてもよい。
【０１０１】
さらに、任意選択的に、サービングセルのサブフレーム長が第１のサブフレーム長セット中の最小サブフレーム長である場合に、またはサービングセルのサブフレーム長が第２のサブフレーム長セット中の最小サブフレーム長である場合に、またはサービングセルのサブフレーム長が０．１２５ミリ秒または０．５ミリ秒である場合に、システム情報はサブフレーム番号（Ｓｕｂｆｒａｍｅ  Ｎｕｍｂｅｒ）インジケータフィールドを含む。サブフレーム番号インジケータフィールドは、第１の無線フレームブロックのインデックスを示すために使用され、第１の無線フレームブロックは、８つの無線フレームを含む。換言すれば、サブフレーム番号インジケータフィールドは、第１の無線フレームブロック内にあり、システム情報を運ぶサブフレームのインデックス番号を示すために使用される。さらに、任意選択的に、システム情報に対応するスクランブル情報は、システム情報を運ぶサブフレームに対応する第１のサブフレームブロックのインデックスを区別するために使用され得る。第１のサブフレームブロックのインデックスは、第１の無線フレームブロック内にあり、システム情報を運ぶサブフレームに対応する第１のサブフレームブロックのインデックスであり、第１のサブフレームブロックは、２つのサブフレームを含む。
【０１０２】
ステップ４０３は、図２のトランシーバ２２により実行され得る。
【０１０３】
ステップ４０４：ユーザ機器は、同期信号期間およびサブフレーム長に基づいてサービングセルにおいて情報を送信または受信する。
【０１０４】
このステップにおいて、ユーザ機器が同期信号期間およびサブフレーム長に基づいてサービングセルにおいて情報を送信または受信することは、以下のステップを含み得る。
【０１０５】
ユーザ機器は、サービングセルと同期を取るために、同期信号を同期信号期間に基づいて受信し、ユーザ機器はサブフレーム長に基づいてサービングセル内で情報を送信または受信する。
【０１０６】
このステップにおいて、別の方法として、ユーザ機器が同期信号期間およびサブフレーム長に基づいてサービングセにおいて情報を送信または受信することは、以下のステップを含み得る。
【０１０７】
ユーザ機器は、同期信号期間、サービングセルのシステム情報期間およびサブフレーム長に基づいてサービングセルにおいて情報を送信または受信する。このステップは、特定の実装中は以下の通りであってもよい。
【０１０８】
ユーザ機器は、サービングセルと同期を取るために、同期信号を同期信号期間に基づいて受信し、ユーザ機器は、サービングセルのシステムパラメータを決定するために、情報をシステム情報期間に基づいて受信し、ユーザ機器はサブフレーム長に基づいてサービングセルにおいて情報を送信または受信する。
【０１０９】
このステップにおいて、ユーザ機器がサービングセルにおいて情報を送信することは、以下を含んでもよい。ユーザ機器は、サービングセルのリソース部に基づいてアップリンクデータおよびアップリンク制御情報をサービングセル内の基地局に送信する。
【０１１０】
このステップにおいて、ユーザ機器がサービングセルにおいて情報を受信することは、ユーザ機器は、サービングセル内でサービングセルのリソース部に基づいて、基地局により送信された情報を受信することを含み得る。具体的には、ユーザ機器は、基地局により送信されたダウンリンクデータ、ダウンリンク制御情報、およびダウンリンク基準信号を受信し得る。
【０１１１】
ステップ４０４は、図２のトランシーバ２２により実行され得る。
【０１１２】
ユーザ機器が、図４Ａの態様で、ユーザ機器を有効にして基地局と情報同期を取らせるためのサービングセルの同期信号期間を決定する場合、基地局がサービングセルの同期信号期間を決定して情報を送信／受信する対応処理は、図４Ｂに示される。
【０１１３】
図４Ｂを参照すると、図４Ｂは、本発明の別の実施形態による情報送受信方法のフローチャートである。情報送受信方法は、図１および図３に示す基地局１２０に適用される。情報送受信方法は、以下のステップを含み得る。
【０１１４】
ステップ４０５：基地局は、サービングセルのサブフレーム長を決定する。
【０１１５】
このステップにおいて、基地局がサービングセルのサブフレーム長を決定することはまた、基地局がサービングセルのＴＴＩ長を決定すること、または基地局がサービングセルのＴＴＵ長を決定することを意味する。
【０１１６】
本明細書におけるサービングセルの説明については、ステップ４０１のサービングセルの説明を参照されたい。詳細は、本明細書においては再度説明されない。
【０１１７】
ステップ４０５は、図３のプロセッサ３１により実行され得る。
【０１１８】
ステップ４０６。基地局は、サービングセルのサブフレーム長に基づいてサービングセルの同期信号期間を決定する。
【０１１９】
このステップにおいて、基地局がサービングセルのサブフレーム長に基づいてサービングセルの同期信号期間を決定することは、少なくとも以下の５つの手法を含み得る。
【０１２０】
第１の手法において、基地局は、サービングセルのサブフレーム長に基づいて、サービングセルのサブフレーム長に対応するサブフレーム長セットを決定し、基地局はサブフレーム長セット中の最大サブフレーム長に基づいてサービングセルの同期信号期間を決定する。
【０１２１】
第２の手法において、基地局は、サービングセルのサブフレーム長に基づいて、サービングセルのサブフレーム長に対応するサブフレーム長セットを決定し、基地局はサブフレーム長セット中の最小サブフレーム長に基づいてサービングセルの同期信号期間を決定する。
【０１２２】
第１の手法または第２の手法においてさらに、任意選択的に、サービングセルのサブフレーム長に対応するサブフレーム長セットは第１のサブフレーム長および第２のサブフレーム長を含み、第１のサブフレーム長は０．５ミリ秒であり、第２のサブフレーム長は１ミリ秒であり、またはサービングセルのサブフレーム長に対応するサブフレーム長セットは第３のサブフレーム長および第４のサブフレーム長を含み、第３のサブフレーム長は０．１２５ミリ秒であり、第３のサブフレーム長は０．２５ミリ秒である。
【０１２３】
あるいは、さらに任意選択的に、サービングセルのサブフレーム長に対応するサブフレーム長セットは、第１のサブフレーム長セットおよび第２のサブフレーム長セットのうちの１つであり、第１のサブフレーム長セット中の任意のサブフレーム長は、第２のサブフレーム長セット中の任意のサブフレーム長より大きい。
【０１２４】
さらに、任意選択的に、サービングセルの同期信号期間であり、第１のサブフレーム長セットに基づいて決定される同期信号期間は、サービングセルの同期信号期間であり、第２のサブフレーム長セットに基づいて決定される同期信号期間より長い。
【０１２５】
さらに、任意選択的に、第１のサブフレーム長セットは、第１のサブフレーム長および第２のサブフレーム長を含み、第１のサブフレーム長は０．５ミリ秒であり、第２のサブフレーム長は１ミリ秒であり、第２のサブフレーム長セットは、第３のサブフレーム長および第４のサブフレーム長を含み、第３のサブフレーム長は０．１２５ミリ秒であり、第３のサブフレーム長は０．２５ミリ秒である。
【０１２６】
第３の手法において、サービングセルのサブフレーム長が０．１２５ミリ秒である場合に、基地局は０．２５ミリ秒のサブフレーム長に基づいてサービングセルの同期信号期間を決定し、サービングセルのサブフレーム長が０．２５ミリ秒である場合に、基地局は０．２５ミリ秒のサブフレーム長に基づいてサービングセルの同期信号期間を決定し、サービングセルのサブフレーム長が０．５ミリ秒である場合に、基地局は１ミリ秒のサブフレーム長に基づいてサービングセルの同期信号期間を決定し、またはサービングセルのサブフレーム長が１ミリ秒である場合に、基地局は１ミリ秒のサブフレーム長に基づいてサービングセルの同期信号期間を決定する。
【０１２７】
第４の手法において、サービングセルのサブフレーム長が０．１２５ミリ秒である場合に、基地局はサービングセルの同期信号期間が０．２５ミリ秒の正の整数倍であると決定し、サービングセルのサブフレーム長が０．２５ミリ秒である場合に、基地局はサービングセルの同期信号期間が０．２５ミリ秒の正の整数倍であると決定し、サービングセルのサブフレーム長が０．５ミリ秒である場合に、基地局はサービングセルの同期信号期間が１ミリ秒の正の整数倍であると決定し、またはサービングセルのサブフレーム長が１ミリ秒である場合に、基地局はサービングセルの同期信号期間が１ミリ秒の正の整数倍であると決定する。
【０１２８】
第５の手法において、サービングセルのサブフレーム長が０．１２５ミリ秒である場合に、基地局はサービングセルの同期信号期間が１．２５ミリ秒であると決定し、サービングセルのサブフレーム長が０．２５ミリ秒である場合に、基地局はサービングセルの同期信号期間が１．２５ミリ秒であると決定し、サービングセルのサブフレーム長が０．５ミリ秒である場合に、基地局はサービングセルの同期信号期間が５ミリ秒であると決定し、またはサービングセルのサブフレーム長が１ミリ秒である場合に、基地局はサービングセルの同期信号期間が５ミリ秒であると決定する。
【０１２９】
ステップ４０６、図３のプロセッサ３１により実行され得る。
【０１３０】
ステップ４０７：基地局は、同期信号期間に基づいてサービングセルにおいて同期信号を送信する。
【０１３１】
本発明の本実施形態において、ステップ４０７において、基地局は同期信号期間に基づいてサービングセルにおいて同期信号を送信する。例えば、基地局は、同期信号期間に基づいて、同期信号を送信するためのサブフレームを決定し、同期信号を送信するためのサブフレームにおいて同期信号を送信する。
【０１３２】
ステップ４０７は、図３のプロセッサ３１により実行され得る。
【０１３３】
サービングセルのシステム情報期間および同期信号期間は同じであってもよい。サービングセルのシステム情報期間および同期信号期間が同じ場合、基地局は、サービングセルサブフレーム長に基づいてサービングセルの同期信号期間を、すなわちサービングセルのシステム情報期間を決定し、この期間に基づいてサービングセルのシステム情報を送信し得る。詳細については、ステップ４０８を参照されたい。ステップ４０８は任意選択的なステップである。
【０１３４】
ステップ４０８：基地局は、サービングセルのシステム情報を送信する。
【０１３５】
本発明の本実施形態において、ステップ４０８は任意選択的なステップである。
【０１３６】
このステップにおいて、基地局はサービングセルのシステム情報を送信し、サービングセルのシステム情報期間はサービングセルの同期信号期間と同じであってもよい。
【０１３７】
このステップにおいて、基地局がサービングセルのシステム情報を受信することは、基地局はサービングセルのサブフレーム長に基づいてサービングセルのシステム情報期間を決定し、基地局はサービングセルのシステム情報期間に基づいてサービングセルのシステム情報を受信することを含み得る。
【０１３８】
さらに、任意選択的に、基地局がサービングセルのサブフレーム長に基づいてサービングセルのシステム情報期間を決定することは、基地局は、サービングセルのサブフレーム長に基づいて、サービングセルのサブフレーム長に対応するサブフレーム長セットを決定し、基地局はサブフレーム長セット中の最大サブフレーム長に基づいてサービングセルのシステム情報期間を決定することを含み得る。
【０１３９】
サービングセルのサブフレーム長に対応するサブフレーム長セットの他の説明については、ステップ４０２のサブフレーム長セットの説明を参照されたい。詳細は、本明細書においては再度説明されない。
【０１４０】
あるいは、さらに任意選択的に、基地局がサービングセルのサブフレーム長に基づいてサービングセルのシステム情報期間を決定することは、以下のステップを含み得る。
【０１４１】
基地局は、サービングセルのサブフレーム長に基づいて、サービングセルのサブフレーム長に対応するサブフレーム長セットを決定し、
基地局は、サブフレーム長セット中の最小サブフレーム長に基づいてサービングセルのシステム情報期間を決定する。
【０１４２】
サービングセルのサブフレーム長に対応するサブフレーム長セットの他の説明については、ステップ４０２のサブフレーム長セットの説明を参照されたい。詳細は、本明細書においては再度説明されない。
【０１４３】
さらに、任意選択的に、このステップにおいて、基地局がサービングセルのシステム情報を送信することは、以下のステップを含み得る。
【０１４４】
基地局は、サービングセルのシステム情報を送信し、システム情報はサブフレーム長指示情報を含み、サブフレーム長指示情報はサービングセルのサブフレーム長を示すために使用される。
【０１４５】
さらに、任意選択的に、サービングセルのサブフレーム長が第１のサブフレーム長セット中の最短サブフレームである場合に、またはサービングセルのサブフレーム長が第２のサブフレーム長セット中の最短サブフレームである場合に、またはサービングセルのサブフレーム長が０．１２５ミリ秒または０．５ミリ秒である場合に、システム情報はサブフレーム番号（Ｓｕｂｆｒａｍｅ  Ｎｕｍｂｅｒ）インジケータフィールドを含む。サブフレーム番号インジケータフィールドは、第１の無線フレームブロックのインデックスを示すために使用され、第１の無線フレームブロックは、８つの無線フレームを含む。換言すれば、サブフレーム番号インジケータフィールドは、第１の無線フレームブロック内にあり、システム情報を運ぶサブフレームのインデックス番号を示すために使用される。さらに、任意選択的に、システム情報に対応するスクランブル情報は、システム情報を運ぶサブフレームに対応する第１のサブフレームブロックのインデックスを区別するために使用され得る。第１のサブフレームブロックのインデックスは、第１の無線フレームブロック内にあり、システム情報を運ぶサブフレームに対応する第１のサブフレームブロックのインデックスであり、第１のサブフレームブロックは、２つのサブフレームを含む。
【０１４６】
ステップ４０８は、図３のトランシーバ３２により実行され得る。
【０１４７】
ステップ４０９：基地局は、サービングセルのサブフレーム長に基づいてサービングセルにおいて情報を送信または受信する。
【０１４８】
このステップにおいて、基地局がサブフレーム長に基づいてサービングセルにおいて情報を送信することは、基地局は、ダウンリンクデータ、ダウンリンク制御情報、およびダウンリンク基準信号をユーザ機器に送信することを含み得る。
【０１４９】
このステップにおいて、基地局がサブフレーム長に基づいてサービングセルにおいて情報を受信することは、基地局は、サービングセルにおいてサービングセルのリソース部に基づいて、ユーザ機器により送信された情報を受信することを含み得る。具体的には、基地局は、ユーザ機器により送信されたアップリンクデータおよびアップリンク制御情報を受信し得る。
【０１５０】
本発明のすべての実施形態におけるシステム情報は、マスタ情報ブロック（Ｍａｓｔｅｒ  Ｉｎｆｏｒｍａｔｉｏｎ  Ｂｌｏｃｋ、ＭＩＢ）であってもよい。
【０１５１】
本発明の実施形態において、特段の指示がなければ、ステップ間のシーケンスおよびステップ間の相互依存は限定されないことに留意されたい。
【０１５２】
ステップ４０９は、図３のトランシーバ３２により実行され得る。
【０１５３】
結論として、本発明の実施形態により提供される情報送受信方法において、ユーザ機器は、サービングセルのサブフレーム長に基づいて、サービングセルの同期信号期間を決定し、その結果５Ｇにおいて同一のサブキャリアと関連する異なるサブフレーム長に対応する同期信号を設定する方法についての課題が解決される。
【０１５４】
さらに、ユーザ機器は、サービングセルのサブフレーム長に基づいて、サービングセルのサブフレーム長に対応するサブフレーム長セットを決定し、ユーザ機器はサブフレーム長セット中の最大サブフレーム長に基づいてサービングセルの同期信号期間を決定する、またはユーザ機器はサブフレーム長セット中の最小サブフレーム長に基づいてサービングセルの同期信号期間を決定する。したがって、同じサブフレーム長セットに属する異なるサブフレーム長は１つだけの同期信号設計に対応し、設計の複雑性が低減される。同期信号期間がサブフレーム長セット中の最大サブフレーム長に基づいて決定される場合、同期信号オーバーヘッドが低減され、リソースの利用は、適切なオーバーヘッドが確保されつつ改善され得る。同期信号期間がサブフレーム長セット中の最小サブフレーム長に基づいて決定される場合、ユーザ機器のセルアクセス時間およびサービス待ち時間は、適切なオーバーヘッドが確保されつつ改善され得る。
【０１５５】
さらに、サービングセルのサブフレーム長に対応するサブフレーム長セットは、第１のサブフレーム長セットおよび第２のサブフレーム長セットの内の１つであり、第１のサブフレーム長セットは、第１のサブフレーム長および第２のサブフレーム長を含み、第１のサブフレーム長は０．５ミリ秒であり、第２のサブフレーム長は１ミリ秒であり、第２のサブフレーム長セットは、第３のサブフレーム長および第４のサブフレーム長を含み、第３のサブフレーム長は０．１２５ミリ秒であり、第３のサブフレーム長は０．２５ミリ秒である。したがって、同じサブキャリア間隔に対応する異なるサブフレーム長は、２つのサブフレーム長セットにグループ分けされ、２つの最短サブフレームが同じサブフレーム長セットに属し、２つの最長サブフレーム長が同じサブフレーム長セットに属する。したがって、同じ同期信号設計が同じサブフレーム長セットに対して用いられるときに、適切なリソースが適切な待ち時間要求を確実にするために使用されることができる。
【０１５６】
本発明の本実施形態において、システム情報期間の設計の有益な効果は同期信号期間の設計のものと同様であり、詳細は本明細書では再度説明されない。
【０１５７】
実際の実装中では、ステップ４０１は図４Ｃのステップを使って実装されてもよい。また、サービングセルのサブフレーム長はさらに、ステップ４０１の同期信号に対応するシーケンスを使って決定され得る。図４Ｄを参照すると、ユーザ機器がサービングセルのサブフレーム長を決定することは以下のステップを含み得る。
【０１５８】
ステップ４０１ｃ。ユーザ機器は、サービングセルの同期信号に対応するシーケンスを決定する。
【０１５９】
ステップ４０１ｄ。ユーザ機器は、サービングセルのサブフレーム長を同期信号に対応するシーケンスに基づいて決定する。
【０１６０】
さらに、ユーザ機器がサービングセルのサブフレーム長を同期信号に対応するシーケンスに基づいて決定するステップ４０１ｄは、以下のようにしてもよい。
【０１６１】
同期信号に対応するシーケンスが第１のシーケンスである場合に、ユーザ機器は、サービングセルのサブフレーム長は第１のサブフレーム長であると決定する、または同期信号に対応するシーケンスが第２のシーケンスである場合に、ユーザ機器は、サービングセルのサブフレーム長は第２のサブフレーム長であると決定する。
【０１６２】
別の方法として、さらに、ユーザ機器がサービングセルのサブフレーム長を同期信号に対応するシーケンスに基づいて決定するステップ４０１ｄは以下の通りであってもよい。
【０１６３】
同期信号に対応するシーケンスが第３のシーケンスである場合に、ユーザ機器は、サービングセルのサブフレーム長は第３のサブフレーム長であると決定する、または同期信号に対応するシーケンスが第４のシーケンスである場合に、ユーザ機器は、サービングセルのサブフレーム長は第４のサブフレーム長であると決定する。
【０１６４】
さらに、第１のサブフレーム長は０．１２５ミリ秒であり、第２のサブフレーム長は０．２５ミリ秒であり、第３のサブフレーム長は０．５ミリ秒であり、第４のサブフレーム長は１ミリ秒であり得る。
【０１６５】
さらに、任意選択的に、第１のシーケンスは第３のシーケンスと同じであり、第２のシーケンスは第４のシーケンスと同じである。この場合、ユーザ機器はさらに、第１のサブフレーム長および第３のサブフレーム長間をサービングセルのキャリア周波数またはサービングセルのサブキャリア間隔に基づいて区別してもよく、さらに第２のサブフレーム長および第４のサブフレーム長間をサービングセルのキャリア周波数またはサービングセルのサブキャリア間隔に基づいて区別してもよい。さらに、任意選択的に、第１のキャリア周波数は第１のサブフレーム長および第２のサブフレーム長に対応し、第２のキャリア周波数は第３のサブフレーム長および第４のサブフレーム長に対応する。ユーザ機器は、サービングセルのキャリア周波数に基づいて、サービングセルに対応するサブフレーム長セットを決定し、さらにサービングセルのサブフレーム長を同期信号に対応するシーケンスに基づいて決定する。
【０１６６】
さらに、同期信号は、プライマリ同期信号であり得る。
【０１６７】
さらに、任意選択的に、同期信号は、同期信号を運ぶサブフレームの最初のＮ個のシンボル内に位置し、Ｎは１以上である。さらに、任意選択的に、同期信号は、プライマリ同期信号およびセカンダリ同期信号を含む。同期信号は、同期信号を運ぶサブフレームの最初のＮ個のシンボル内に位置し、Ｎは２以上である。さらに、任意選択的に、同期信号を運ぶサブフレームはさらに、システム情報を運ぶ。システム情報は、Ｎ個のシンボルの後続のＭ個のシンボル上で搬送され、Ｍは１以上の正の整数である。
【０１６８】
さらに、任意選択的に、ユーザ機器がサービングセルの同期信号に対応するシーケンスを決定することは以下のステップを含み得る。
【０１６９】
ユーザ機器は、同期信号に対応する候補シーケンスを決定し、ユーザ機器は、同期信号を候補シーケンスに基づいて検出し、同期信号に対応するシーケンスを決定する。
【０１７０】
具体的には、ユーザ機器は、同期信号に対応するシーケンスを決定するために同期信号に対してブラインド検出を実行してもよい。
【０１７１】
図４Ｄのステップに対応し、ステップ４０８において、サービングセルのシステム情報であり、基地局により送信されたシステム情報は、サブフレーム長指示を含まない。
【０１７２】
さらに、基地局は、サービングセルのサブフレーム長に基づいてサービングセルの同期信号のシーケンスを決定し、次にサービングセルの同期信号期間およびサービングセル同期信号のシーケンスに基づいてサービングセルにおいて同期信号を送信してもよい。したがって、ステップ４０７は、図４Ｂのステップを使って実行し得る。さらに、図４Ｅを参照すると、ステップ４０７はさらに、ステップ４０７１およびステップ４０７２と置き換えられることがある。
【０１７３】
ステップ４０７１。基地局は、サービングセルのサブフレーム長に基づいてサービングセルの同期信号のシーケンスを決定する。
【０１７４】
このステップは、図３のプロセッサ３１により実行され得る。
【０１７５】
ステップ４０７２。基地局は、同期信号期間および同期信号のシーケンスに基づいて同期信号をサービングセル内で送信する。
【０１７６】
さらに、基地局がサービングセルの同期信号のシーケンスをサービングセルのサブフレーム長に基づいて決定することは、以下の通りであってもよい。
【０１７７】
同期信号に対応するシーケンスが第１のシーケンスである場合に、基地局は、サービングセルのサブフレーム長は第１のサブフレーム長であると決定する、または同期信号に対応するシーケンスが第２のシーケンスである場合に、基地局は、サービングセルのサブフレーム長は第２のサブフレーム長であると決定する。
【０１７８】
別の方法として、さらに、基地局がサービングセルのサブフレーム長を同期信号に対応するシーケンスに基づいて決定することは以下の通りであってもよい。
【０１７９】
同期信号に対応するシーケンスが第３のシーケンスである場合に、基地局は、サービングセルのサブフレーム長は第３のサブフレーム長であると決定する、または同期信号に対応するシーケンスが第４のシーケンスである場合に、基地局は、サービングセルのサブフレーム長は第４のサブフレーム長であると決定する。
【０１８０】
さらに、第１のサブフレーム長は０．１２５ミリ秒であり、第２のサブフレーム長は０．２５ミリ秒であり、第３のサブフレーム長は０．５ミリ秒であり、第４のサブフレーム長は１ミリ秒であり得る。
【０１８１】
さらに、任意選択的に、第１のシーケンスは第３のシーケンスと同じであり、第２のシーケンスは第４のシーケンスと同じである。
【０１８２】
さらに、同期信号は、プライマリ同期信号であってもよい。
【０１８３】
さらに、任意選択的に、同期信号は、同期信号を運ぶサブフレームの最初のＮ個のシンボル内に位置し、Ｎは１以上である。さらに、任意選択的に、同期信号は、プライマリ同期信号およびセカンダリ同期信号を含む。同期信号は、同期信号を運ぶサブフレームの最初のＮ個のシンボル内に位置し、Ｎは２以上である。さらに、任意選択的に、同期信号を運ぶサブフレームはさらに、システム情報を運ぶ。システム情報は、Ｎ個のシンボルの後続のＭ個のシンボル上で搬送され、Ｍは１以上の正の整数である。
【０１８４】
本発明の実施形態において、特段の指示がなければ、ステップ間のシーケンスおよびステップ間の相互依存は限定されないことに留意されたい。
【０１８５】
結論として、本発明の実施形態により提供される情報送受信方法において、ユーザ機器は、サービングセルのサブフレーム長に基づいて、サービングセルの同期信号期間を決定し、その結果５Ｇにおいて同一のサブキャリアで異なるサブフレーム長に対応する同期信号を設定する方法についての課題が解決される。
【０１８６】
さらに、ユーザ機器は、サービングセルのサブフレーム長に基づいて、サービングセルのサブフレーム長に対応するサブフレーム長セットを決定し、ユーザ機器はサブフレーム長セット中の最大サブフレーム長に基づいてサービングセルの同期信号期間を決定する、またはユーザ機器はサブフレーム長セット中の最小サブフレーム長に基づいてサービングセルの同期信号期間を決定する。したがって、同じサブフレーム長セットに属する異なるサブフレーム長は、１つだけの同期信号設計に対応し、設計の複雑性が低減される。同期信号期間がサブフレーム長セット中の最大サブフレーム長に基づいて決定される場合、同期信号オーバーヘッドが低減され、リソースの利用は、適切なオーバーヘッドが確保されつつ改善され得る。同期信号期間がサブフレーム長セット中の最小サブフレーム長に基づいて決定される場合、ユーザ機器のセルアクセス時間およびサービス待ち時間は、適切なオーバーヘッドが確保されつつ改善され得る。
【０１８７】
さらに、サービングセルのサブフレーム長に対応するサブフレーム長セットは、第１のサブフレーム長セットおよび第２のサブフレーム長セットの内の１つであり、第１のサブフレーム長セットは、第１のサブフレーム長および第２のサブフレーム長を含み、第１のサブフレーム長は０．５ミリ秒であり、第２のサブフレーム長は１ミリ秒であり、第２のサブフレーム長セットは、第３のサブフレーム長および第４のサブフレーム長を含み、第３のサブフレーム長は０．１２５ミリ秒であり、第３のサブフレーム長は０．２５ミリ秒である。したがって、同じサブキャリア間隔に対応する異なるサブフレーム長は、２つのサブフレーム長セットにグループ分けされ、２つの最短サブフレームが同じサブフレーム長セットに属し、２つの最長サブフレーム長が同じサブフレーム長セットに属する。したがって、同じ同期信号設計が同じサブフレーム長セットに対して用いられるときに、適切なリソースが適切な待ち時間要求を確実にするために使用されることができる。
【０１８８】
本発明の本実施形態において、システム情報期間の設計の有益な効果は同期信号期間の設計のものと同様であり、詳細は本明細書では再度説明されない。
【０１８９】
図５を参照すると、図５は、本発明の実施形態による情報送受信装置のブロック図である。情報送受信装置は、ソフトウェア、ハードウェア、またはソフトウェアおよびハードウェアの組み合わせを用いることにより、ユーザ機器のすべてあるいは一部として実装され得る。情報送受信装置は、処理部５１０およびトランシーバ部５２０を含む。
【０１９０】
処理部５１０は、ステップ４０１およびステップ４０２の少なくとも１つの機能を実施するように構成される。
【０１９１】
トランシーバ部５２０は、ステップ４０４およびステップ４０４の少なくとも１つの機能を実施するように構成される。
【０１９２】
任意選択的に、トランシーバ部５２０はさらに、ステップ４０１ａの機能を実施するように構成され、処理部５１０はさらに、ステップ４０１ｂの機能を実施するように構成される。
【０１９３】
任意選択的に、処理部５１０はさらに、ステップ４０１ｃおよびステップ４０１ｄの少なくとも１つの機能を実施するように構成される。
【０１９４】
関連する詳細については、上述の方法の実施形態をされたい。
【０１９５】
任意選択的に、本発明の本実施形態において、処理部５１０は、図２に示されたプロセッサ２１により実現されてもよく、トランシーバ部５２０は、図２に示されたトランシーバ２２により実現されてもよい。
【０１９６】
図６を参照すると、図６は、本発明の別の実施形態による情報送受信装置のブロック図である。情報送受信装置は、ソフトウェア、ハードウェア、またはソフトウェアおよびハードウェアの組み合わせを用いることにより、基地局のすべてあるいは一部として実装され得る。情報送受信装置は、処理部６１０およびトランシーバ部６２０を含む。
【０１９７】
処理部６１０は、ステップ４０５およびステップ４０６の少なくとも１つの機能を実施するように構成される。
【０１９８】
トランシーバ部６２０は、ステップ４０７、ステップ４０８およびステップ４０９の少なくとも１つの機能を実施するように構成される。
【０１９９】
任意選択的に、トランシーバ部６２０はさらに、ステップ４０７２の機能を実施するように構成され、処理部６１０はさらに、ステップ４０７１の機能を実施するように構成される。
【０２００】
関連する詳細については、上述の方法の実施形態をされたい。
【０２０１】
任意選択的に、本発明の本実施形態において、処理部６１０は、図３に示されたプロセッサ３１により実現されてもよく、トランシーバ部６２０は、図３に示されたプトランシーバ３２により実現されてもよい。
【０２０２】
なお、上記実施形態において提供される情報送受信装置が情報を受信または送信するときに、上記機能部の分割は単に、説明の例として使用される。実際の適用の間は、上述の機能は、必要に応じて、実装のための異なる機能部に割り当てられてもよい。具体的には、基地局またはユーザ機器の内部構成は、異なる機能部に分割され、上述した機能のすべてまたは一部を実装する。さらに、上述の実施形態で提供される情報送受信装置は、情報送受信方法と同じ概念に関する。特定の実装プロセスについては、方法の実施形態を参照されたい。詳細は、本明細書においては再度説明されない。
【０２０３】
本発明の実施形態はさらに、情報送受信システムを提供する。情報送受信システムは、ユーザ機器と基地局とを備える。ユーザ機器は、図５に示された情報送受信装置を含み、基地局は、図６に示された情報送受信装置を含む。詳細については、図５および図６の説明を参照されたい。詳細は、本明細書においては再度説明されない。
【０２０４】
当業者は、この明細書に開示された実施形態に記載された例と組み合わせて、部およびアルゴリズムステップが、電子ハードウェア、またはコンピュータソフトウェアと電子ハードウェアの組み合わせによって実装できることを気づき得る。機能がハードウェアまたはソフトウェアによって実行されるかは、特定用途、および技術的解決策の設計上の制約条件に依存する。当業者は、異なる方法を使用して各特定用途ごとに記載された機能を実装し得るが、実装は本発明の範囲を超えていると考えるべきではない。
【０２０５】
上述の装置および部の詳細な作業プロセスについては、簡潔で簡単な説明のために、当業者が上述の方法の実施形態で対応するプロセスを参照することは、明確に理解され得る。詳細は、本明細書においては再度説明されない。
【０２０６】
この出願で提供されるいくつかの実施形態において、開示された装置および方法は、他の態様で実施され得ることを理解すべきである。例えば、説明された装置の実施形態は単なる例である。例えば、部の分割は単に論理的な機能分割であってもよいし、実際の実装の間は他の分割であってもよい。例えば、複数の部または構成要素は、組み合わされてもよいし、別のシステムに統合されてもよいし、または一部の機能は無視されてもよいし、実装されなくてもよい。
【０２０７】
個別の部分として記載された部は、物理的に分離されてもされなくてもよいし、および部として表示された部分は、物理的な部であってもなくてもよいし、１つの位置に配置されてもよいし、または複数のネットワークユニット上に分配されてもよい。部の一部またはすべては、実施形態の解決策の目的を達成する実際の要件に基づいて選択され得る。
【０２０８】
さらに、本発明の実施形態における機能部は、１つの処理部に統合されてもよいし、または部の各々が物理的に単独で存在してもよいし、あるいは２つ以上の部が１つの部として一体化される。
【０２０９】
機能がソフトウェア機能部の形態で実装され、独立した製品として販売または使用されるときに、機能はコンピュータ可読記憶媒体に格納され得る。そのような理解に基づいて、本発明の技術的な解決策は本質的に、または先行技術に寄与する部分、または技術的な解決策の一部は、ソフトウェア製品の形態で実施され得る。コンピュータソフトウェア製品は、記憶媒体に格納され、（パーソナルコンピュータ、サーバ、ネットワークデバイスなどであることがある）コンピュータデバイスに対して、本発明の実施形態で説明された方法のステップのすべてまたは一部を実行するよう指示するためのいくつかの命令を含む。上述の記憶媒体は、ＵＳＢフラッシュドライブ、取り外し可能なハードディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどを含む。
【０２１０】
上述の説明は、本願の特定の実装のみであるが、本願の保護範囲を限定することを意図するものではない。本願に開示された技術的な範囲内で当業者によって容易に理解される任意の変形または置換は、本願の保護範囲内に入るものとする。したがって、本願の保護範囲は、特許請求の保護範囲に従うものとする。
【０２１１】
当業者は、上述の実施形態のステップのすべてまたは一部が、ハードウェア、または関連するハードウェアを指示するプログラムによって実施し得ることを理解し得る。プログラムは、コンピュータ可読記憶媒体に格納されてもよい。記憶媒体は、読み出し専用メモリ、磁気ディスク、光ディスクなどであってもよい。
【図１】
2019520731.tif 000003
【図２】
2019520731.tif 000004
【図３】
2019520731.tif 000005
【図４Ａ】
2019520731.tif 000006
【図４Ｂ】
2019520731.tif 000007
【図４Ｃ】
2019520731.tif 000008
【図４Ｄ】
2019520731.tif 000009
【図４Ｅ】
2019520731.tif 000010
【図５】
2019520731.tif 000011
【図６】
2019520731.tif 000012
【手続補正書】
【提出日】平成30年12月5日(2018.12.5)
【手続補正１】
【補正対象書類名】特許請求の範囲
【補正対象項目名】全文
【補正方法】変更
【補正の内容】
【特許請求の範囲】
【請求項１】
情報送受信方法であって、前記方法は、
ユーザ機器により、サービングセルのサブフレーム長を決定するステップと、
前記ユーザ機器により、前記サービングセルの前記サブフレーム長に基づいて前記サービングセルの同期信号期間を決定するステップと、
前記ユーザ機器により、前記同期信号期間および前記サブフレーム長に基づいて前記サービングセルにおいて情報を送信または受信するステップと
を含む、方法。
【請求項２】
前記ユーザ機器により、前記サービングセルの前記サブフレーム長に基づいて前記サービングセルの同期信号期間を前記決定するステップは、
前記ユーザ機器により、前記サービングセルの前記サブフレーム長に基づいて、前記サービングセルの前記サブフレーム長に対応するサブフレーム長セットを決定するステップと、
前記ユーザ機器により、前記サブフレーム長セット中の最大サブフレーム長に基づいて前記サービングセルの前記同期信号期間を決定するステップと
を含む、請求項１に記載の方法。
【請求項３】
前記サービングセルの前記サブフレーム長に対応する前記サブフレーム長セットは、第１のサブフレーム長セットおよび第２のサブフレーム長セットのうちの１つであり、前記第１のサブフレーム長セット中の任意のサブフレーム長は、前記第２のサブフレーム長セット中の任意のサブフレーム長より大きい、請求項２に記載の方法。
【請求項４】
前記サービングセルの同期信号期間でありかつ前記第１のサブフレーム長セットに基づいて決定される同期信号期間は、前記サービングセルの同期信号期間でありかつ前記第２のサブフレーム長セットに基づいて決定される同期信号期間より長い、請求項３に記載の方法。
【請求項５】
前記第１のサブフレーム長セットは、第１のサブフレーム長および第２のサブフレーム長を含み、前記第１のサブフレーム長は０．５ミリ秒であり、前記第２のサブフレーム長は１ミリ秒であり、前記第２のサブフレーム長セットは、第３のサブフレーム長および第４のサブフレーム長を含み、前記第３のサブフレーム長は０．１２５ミリ秒であり、前記第４のサブフレーム長は０．２５ミリ秒である、請求項３または４に記載の方法。
【請求項６】
前記サービングセルの前記サブフレーム長に対応する前記サブフレーム長セットは、第１のサブフレーム長および第２のサブフレーム長を含み、前記第１のサブフレーム長は０．５ミリ秒であり、前記第２のサブフレーム長は１ミリ秒である、または
前記サービングセルの前記サブフレーム長に対応する前記サブフレーム長セットは、第３のサブフレーム長および第４のサブフレーム長を含み、前記第３のサブフレーム長は０．１２５ミリ秒であり、前記第４のサブフレーム長は０．２５ミリ秒である、請求項２に記載の方法。
【請求項７】
前記ユーザ機器により、前記サービングセルの前記サブフレーム長に基づいて前記サービングセルの同期信号期間を前記決定するステップは、
前記サービングセルの前記サブフレーム長が０．１２５ミリ秒である場合に、前記ユーザ機器により、０．２５ミリ秒のサブフレーム長に基づいて前記サービングセルの前記同期信号期間を決定するステップ、
前記サービングセルの前記サブフレーム長が０．２５ミリ秒である場合に、前記ユーザ機器により、０．２５ミリ秒のサブフレーム長に基づいて前記サービングセルの前記同期信号期間を決定するステップ、
前記サービングセルの前記サブフレーム長が０．５ミリ秒である場合に、前記ユーザ機器により、前記サービングセルの前記同期信号期間を１ミリ秒のサブフレーム長に基づいて決定するステップ、または
前記サービングセルの前記サブフレーム長が１ミリ秒である場合に、前記ユーザ機器により、１ミリ秒のサブフレーム長に基づいて前記サービングセルの前記同期信号期間を決定するステップを含む、請求項１に記載の方法。
【請求項８】
前記ユーザ機器により、前記サービングセルの前記サブフレーム長に基づいて前記サービングセルの同期信号期間を前記決定するステップは、
前記サービングセルの前記サブフレーム長が０．１２５ミリ秒である場合に、前記ユーザ機器により、前記サービングセルの前記同期信号期間が０．２５ミリ秒の正の整数倍であると決定するステップ、
前記サービングセルの前記サブフレーム長が０．２５ミリ秒である場合に、前記ユーザ機器により、前記サービングセルの前記同期信号期間が０．２５ミリ秒の正の整数倍であると決定するステップ、
前記サービングセルの前記サブフレーム長が０．５ミリ秒である場合に、前記ユーザ機器により、前記サービングセルの前記同期信号期間が１ミリ秒の正の整数倍であると決定するステップ、または
前記サービングセルの前記サブフレーム長が１ミリ秒である場合に、前記ユーザ機器により、前記サービングセルの前記同期信号期間が１ミリ秒の正の整数倍であると決定するステップを含む、請求項１に記載の方法。
【請求項９】
情報送受信方法であって、
基地局により、サービングセルのサブフレーム長を決定するステップと、
前記基地局により、前記サービングセルの前記サブフレーム長に基づいて前記サービングセルの同期信号期間を決定するステップと、
前記基地局により、前記同期信号期間に基づいて前記サービングセルにおいて同期信号を送信するステップと、
前記基地局により、前記サービングセルの前記サブフレーム長に基づいて前記サービングセルにおいて情報を送信または受信するステップと
を含む、方法。
【請求項１０】
前記基地局により、前記サービングセルの前記サブフレーム長に基づいて前記サービングセルの同期信号期間を前記決定するステップは、
前記基地局により、前記サービングセルの前記サブフレーム長に基づいて、前記サービングセルの前記サブフレーム長に対応するサブフレーム長セットを決定するステップと、
前記基地局により、前記サブフレーム長セット中の最大サブフレーム長に基づいて前記サービングセルの前記同期信号期間を決定するステップとを含む、請求項９に記載の方法。
【請求項１１】
前記サービングセルの前記サブフレーム長に対応する前記サブフレーム長セットは、第１のサブフレーム長セットおよび第２のサブフレーム長セットのうちの１つであり、前記第１のサブフレーム長セット中の任意のサブフレーム長は、前記第２のサブフレーム長セット中の任意のサブフレーム長より大きい、請求項１０に記載の方法。
【請求項１２】
前記サービングセルの同期信号期間であり、前記第１のサブフレーム長セットに基づいて決定される同期信号期間は、前記サービングセルの同期信号期間であり、前記第２のサブフレーム長セットに基づいて決定される同期信号期間より長い、請求項１１に記載の方法。
【請求項１３】
前記第１のサブフレーム長セットは、第１のサブフレーム長および第２のサブフレーム長を含み、前記第１のサブフレーム長は０．５ミリ秒であり、前記第２のサブフレーム長は１ミリ秒であり、前記第２のサブフレーム長セットは、第３のサブフレーム長および第４のサブフレーム長を含み、前記第３のサブフレーム長は０．１２５ミリ秒であり、前記第４のサブフレーム長は０．２５ミリ秒である、請求項１１または１２に記載の方法。
【請求項１４】
前記サービングセルの前記サブフレーム長に対応する前記サブフレーム長セットは、第１のサブフレーム長および第２のサブフレーム長を含み、前記第１のサブフレーム長は０．５ミリ秒であり、前記第２のサブフレーム長は１ミリ秒である、または
前記サービングセルの前記サブフレーム長に対応する前記サブフレーム長セットは、第３のサブフレーム長および第４のサブフレーム長を含み、前記第３のサブフレーム長は０．１２５ミリ秒であり、前記第４のサブフレーム長は０．２５ミリ秒である、請求項１０に記載の方法。
【請求項１５】
前記基地局により、前記サービングセルの前記サブフレーム長に基づいて前記サービングセルの同期信号期間を前記決定するステップは、
前記サービングセルの前記サブフレーム長が０．１２５ミリ秒である場合に、０．２５ミリ秒のサブフレーム長に基づいて前記基地局により、前記サービングセルの前記同期信号期間を決定するステップ、
前記サービングセルの前記サブフレーム長が０．２５ミリ秒である場合に、前記基地局により、０．２５ミリ秒のサブフレーム長に基づいて前記サービングセルの前記同期信号期間を決定するステップ、
前記サービングセルの前記サブフレーム長が０．５ミリ秒である場合に、前記基地局により、１ミリ秒のサブフレーム長に基づいて前記サービングセルの前記同期信号期間を決定するステップ、または
前記サービングセルの前記サブフレーム長が１ミリ秒である場合に、１ミリ秒のサブフレーム長に基づいて前記基地局により、前記サービングセルの前記同期信号期間を決定するステップを含む、請求項９に記載の方法。
【請求項１６】
前記基地局により、前記サービングセルの前記サブフレーム長に基づいて前記サービングセルの同期信号期間を前記決定するステップは、
前記サービングセルの前記サブフレーム長が０．１２５ミリ秒である場合に、前記基地局により、前記サービングセルの前記同期信号期間が０．２５ミリ秒の正の整数倍であると決定するステップ、
前記サービングセルの前記サブフレーム長が０．２５ミリ秒である場合に、前記ユーザ機器により、前記サービングセルの前記同期信号期間が０．２５ミリ秒の正の整数倍であると決定するステップ、
前記サービングセルの前記サブフレーム長が０．５ミリ秒である場合に、前記基地局により、前記サービングセルの前記同期信号期間が１ミリ秒の正の整数倍であると決定するステップ、または
前記サービングセルの前記サブフレーム長が１ミリ秒である場合に、前記基地局により、前記サービングセルの前記同期信号期間が１ミリ秒の正の整数倍であると決定するステップを含む、請求項９に記載の方法。
【請求項１７】
情報送受信装置であって、
サービングセルのサブフレーム長を決定するように構成される処理部であって、前記処理部はさらに、前記サービングセルの同期信号期間を前記サービングセルの前記決定されたサブフレーム長に基づいて決定するように構成される、処理部と、
前記処理部により決定された前記同期信号期間、および前記処理部により決定された前記サブフレーム長に基づいて前記サービングセルにおいて情報を送信または受信するように構成されるトランシーバ部と
を備えた情報送受信装置。
【請求項１８】
前記処理部はさらに、
前記サービングセルの前記サブフレーム長に基づいて、前記サービングセルの前記サブフレーム長に対応するサブフレーム長セットを決定し、
前記サブフレーム長セット中の最大サブフレーム長に基づいて、前記サービングセルの前記同期信号期間を決定するように構成される、請求項１７に記載の装置。
【請求項１９】
前記サービングセルの前記サブフレーム長に対応する前記サブフレーム長セットは、第１のサブフレーム長セットおよび第２のサブフレーム長セットのうちの１つであり、前記第１のサブフレーム長セット中の任意のサブフレーム長は、前記第２のサブフレーム長セット中の任意のサブフレーム長より大きい、請求項１８に記載の装置。
【請求項２０】
前記サービングセルの同期信号期間であり、前記第１のサブフレーム長セットに基づいて決定される同期信号期間は、前記サービングセルの同期信号期間であり、前記第２のサブフレーム長セットに基づいて決定される同期信号期間より長い、請求項１９に記載の装置。
【請求項２１】
情報送受信装置であって、
サービングセルのサブフレーム長を決定するように構成される処理部であって、
前記処理部はさらに、前記サービングセルの同期信号期間を前記サービングセルの前記サブフレーム長に基づいて決定するように構成される、処理部と、
前記同期信号期間に基づいて同期信号を前記サービングセル内で送信するように構成されるトランシーバ部であって、
前記トランシーバ部はさらに、前記サービングセルの前記サブフレーム長に基づいて情報を前記サービングセル内で送信または受信するように構成される、トランシーバ部と
を含む、情報送受信装置。
【請求項２２】
前記処理部はさらに、
前記サービングセルの前記サブフレーム長に基づいて、前記サービングセルの前記サブフレーム長に対応するサブフレーム長セットを決定し、
前記サブフレーム長セット中の最大サブフレーム長に基づいて前記サービングセルの前記同期信号期間を決定するように構成される、請求項２１に記載の装置。
【請求項２３】
前記サービングセルの前記サブフレーム長に対応する前記サブフレーム長セットは、第１のサブフレーム長セットおよび第２のサブフレーム長セットのうちの１つであり、前記第１のサブフレーム長セット中の任意のサブフレーム長は、前記第２のサブフレーム長セット中の任意のサブフレーム長より大きい、請求項２２に記載の装置。
【請求項２４】
前記サービングセルの同期信号期間であり、前記第１のサブフレーム長セットに基づいて決定される同期信号期間は、前記サービングセルの同期信号期間であり、前記第２のサブフレーム長セットに基づいて決定される同期信号期間より長い、請求項２３に記載の装置。
【請求項２５】
請求項１ないし１６のいずれか一項に記載の方法を実行するように構成された装置。
【請求項２６】
コンピュータによって実行されるときに、前記コンピュータに請求項１ないし１６のいずれか一項に記載の方法を実行させるプログラム。
【手続補正２】
【補正対象書類名】明細書
【補正対象項目名】０００４
【補正方法】変更
【補正の内容】
【０００４】
異なるサービス、異なる展開シナリオ、および異なるスペクトルは、異なる特徴を有し、システムパラメータに対するそれらのそれぞれの要件（ヌメロジーとも称す）は異なる。高性能、異なるサービス、異なる展開シナリオ、および異なるスペクトルでサポートするために、５Ｇはシステムパラメータの複数のセットをサポートする。例えば、５Ｇは異なるサブキャリア間隔をサポートし、異なるサブキャリア間隔は異なるシステムパラメータに対応し、同じサブキャリア間隔は異なるサブフレーム長をサポートし得る。現在、サブフレーム長は、送信時間間隔（Ｔｒａｎｓｍｉｓｓｉｏｎ  Ｔｉｍｅ  Ｉｎｔｅｒｖａｌ、ＴＴＩ）長と呼ばれることもある、またはサブフレーム長は送信時間単位（Ｔｒａｎｓｍｉｓｓｉｏｎ  Ｔｉｍｅ  Ｕｎｉｔ、ＴＴＵ）長と呼ばれることもある。１ミリ秒（ｍｓ）未満のサブフレーム長のような比較的小さいサブフレーム長は、低遅延サービス、例えばＵＲＬＬＣに使用されてもよい。１ｍｓのサブフレーム長などの比較的大きなサブフレーム長は、待ち時間要求が高くないサービス、データパケットサイズが比較的大きいサービスなど、例えばｅＭＢＢに使用されてもよい。
【手続補正３】
【補正対象書類名】明細書
【補正対象項目名】００１２
【補正方法】変更
【補正の内容】
【００１２】
可能な設計において、第１のサブフレーム長セットは、第１のサブフレーム長および第２のサブフレーム長を含み、第１のサブフレーム長は０．５ミリ秒であり、第２のサブフレーム長は１ミリ秒であり、第２のサブフレーム長セットは、第３のサブフレーム長および第４のサブフレーム長を含み、第３のサブフレーム長は０．１２５ミリ秒であり、第４のサブフレーム長は０．２５ミリ秒である。同じサブキャリア間隔に対応する異なるサブフレーム長は、２つのサブフレーム長セットにグループ分けされ、２つの最短サブフレーム長は同じサブフレーム長セットに属し、２つの最長サブフレーム長は同じサブフレーム長セットに属する。したがって、同じ同期信号設計が同じサブフレーム長セットのために用いられるときに、適切なリソースが適切な待ち時間要求を確実にするために使用されることができる。
【手続補正４】
【補正対象書類名】明細書
【補正対象項目名】００１３
【補正方法】変更
【補正の内容】
【００１３】
可能な設計において、サービングセルのサブフレーム長に対応するサブフレーム長セットは、第１のサブフレーム長および第２のサブフレーム長を含み、第１のサブフレーム長は０．５ミリ秒であり、第２のサブフレーム長は１ミリ秒である、またはサービングセルのサブフレーム長に対応するサブフレーム長セットは、第３のサブフレーム長および第４のサブフレーム長を含み、第３のサブフレーム長は０．１２５ミリ秒であり、第４のサブフレーム長は０．２５ミリ秒である。
【手続補正５】
【補正対象書類名】明細書
【補正対象項目名】００３２
【補正方法】変更
【補正の内容】
【００３２】
可能な設計において、第１のサブフレーム長セットは第１のサブフレーム長および第２のサブフレーム長を含み、第１のサブフレーム長は０．５ミリ秒であり、第２のサブフレーム長は１ミリ秒であり、第２のサブフレーム長セットは第３のサブフレーム長および第４のサブフレーム長を含み、第３のサブフレーム長は０．１２５ミリ秒であり、第４のサブフレーム長は０．２５ミリ秒である。
【手続補正６】
【補正対象書類名】明細書
【補正対象項目名】００４７
【補正方法】変更
【補正の内容】
【００４７】
第３の態様によれば、情報送受信装置が提供され、情報送受信装置は、少なくとも１つの部を含み、情報送受信装置の少なくとも１つの部は、前述の第１の態様、または第１の態様の可能な設計のいずれか１つにおいて提供される情報送受信方法における対応するステップを実装するように個別に構成される。
【手続補正７】
【補正対象書類名】明細書
【補正対象項目名】００４８
【補正方法】変更
【補正の内容】
【００４８】
第４の態様によれば、情報送受信装置が提供され、情報送受信装置は、少なくとも１つの部を含み、情報送受信装置の少なくとも１つの部は、前述の第２の態様、または第２の態様の可能な設計のいずれか１つにおいて提供される情報送受信方法における対応するステップを実装するように個別に構成される。
【手続補正８】
【補正対象書類名】明細書
【補正対象項目名】００８６
【補正方法】変更
【補正の内容】
【００８６】
さらに、任意選択的に、第１のサブフレーム長セットは第１のサブフレーム長および第２のサブフレーム長を含み、第１のサブフレーム長は０．５ミリ秒であり、第２のサブフレーム長は１ミリ秒であり、第２のサブフレーム長セットは第３のサブフレーム長および第４のサブフレーム長を含み、第３のサブフレーム長は０．１２５ミリ秒であり、第４のサブフレーム長は０．２５ミリ秒である。
【手続補正９】
【補正対象書類名】明細書
【補正対象項目名】０１２２
【補正方法】変更
【補正の内容】
【０１２２】
第１の手法または第２の手法においてさらに、任意選択的に、サービングセルのサブフレーム長に対応するサブフレーム長セットは第１のサブフレーム長および第２のサブフレーム長を含み、第１のサブフレーム長は０．５ミリ秒であり、第２のサブフレーム長は１ミリ秒であり、またはサービングセルのサブフレーム長に対応するサブフレーム長セットは第３のサブフレーム長および第４のサブフレーム長を含み、第３のサブフレーム長は０．１２５ミリ秒であり、第４のサブフレーム長は０．２５ミリ秒である。
【手続補正１０】
【補正対象書類名】明細書
【補正対象項目名】０１２５
【補正方法】変更
【補正の内容】
【０１２５】
さらに、任意選択的に、第１のサブフレーム長セットは、第１のサブフレーム長および第２のサブフレーム長を含み、第１のサブフレーム長は０．５ミリ秒であり、第２のサブフレーム長は１ミリ秒であり、第２のサブフレーム長セットは、第３のサブフレーム長および第４のサブフレーム長を含み、第３のサブフレーム長は０．１２５ミリ秒であり、第４のサブフレーム長は０．２５ミリ秒である。
【手続補正１１】
【補正対象書類名】明細書
【補正対象項目名】０１４５
【補正方法】変更
【補正の内容】
【０１４５】
さらに、任意選択的に、サービングセルのサブフレーム長が第１のサブフレーム長セット中の最短サブフレーム長である場合に、またはサービングセルのサブフレーム長が第２のサブフレーム長セット中の最短サブフレーム長である場合に、またはサービングセルのサブフレーム長が０．１２５ミリ秒または０．５ミリ秒である場合に、システム情報はサブフレーム番号（Ｓｕｂｆｒａｍｅ  Ｎｕｍｂｅｒ）インジケータフィールドを含む。サブフレーム番号インジケータフィールドは、第１の無線フレームブロックのインデックスを示すために使用され、第１の無線フレームブロックは、８つの無線フレームを含む。換言すれば、サブフレーム番号インジケータフィールドは、第１の無線フレームブロック内にあり、システム情報を運ぶサブフレームのインデックス番号を示すために使用される。さらに、任意選択的に、システム情報に対応するスクランブル情報は、システム情報を運ぶサブフレームに対応する第１のサブフレームブロックのインデックスを区別するために使用され得る。第１のサブフレームブロックのインデックスは、第１の無線フレームブロック内にあり、システム情報を運ぶサブフレームに対応する第１のサブフレームブロックのインデックスであり、第１のサブフレームブロックは、２つのサブフレームを含む。
【手続補正１２】
【補正対象書類名】明細書
【補正対象項目名】０１５５
【補正方法】変更
【補正の内容】
【０１５５】
さらに、サービングセルのサブフレーム長に対応するサブフレーム長セットは、第１のサブフレーム長セットおよび第２のサブフレーム長セットの内の１つであり、第１のサブフレーム長セットは、第１のサブフレーム長および第２のサブフレーム長を含み、第１のサブフレーム長は０．５ミリ秒であり、第２のサブフレーム長は１ミリ秒であり、第２のサブフレーム長セットは、第３のサブフレーム長および第４のサブフレーム長を含み、第３のサブフレーム長は０．１２５ミリ秒であり、第４のサブフレーム長は０．２５ミリ秒である。したがって、同じサブキャリア間隔に対応する異なるサブフレーム長は、２つのサブフレーム長セットにグループ分けされ、２つの最短サブフレーム長が同じサブフレーム長セットに属し、２つの最長サブフレーム長が同じサブフレーム長セットに属する。したがって、同じ同期信号設計が同じサブフレーム長セットに対して用いられるときに、適切なリソースが適切な待ち時間要求を確実にするために使用されることができる。
【手続補正１３】
【補正対象書類名】明細書
【補正対象項目名】０１８７
【補正方法】変更
【補正の内容】
【０１８７】
さらに、サービングセルのサブフレーム長に対応するサブフレーム長セットは、第１のサブフレーム長セットおよび第２のサブフレーム長セットの内の１つであり、第１のサブフレーム長セットは、第１のサブフレーム長および第２のサブフレーム長を含み、第１のサブフレーム長は０．５ミリ秒であり、第２のサブフレーム長は１ミリ秒であり、第２のサブフレーム長セットは、第３のサブフレーム長および第４のサブフレーム長を含み、第３のサブフレーム長は０．１２５ミリ秒であり、第４のサブフレーム長は０．２５ミリ秒である。したがって、同じサブキャリア間隔に対応する異なるサブフレーム長は、２つのサブフレーム長セットにグループ分けされ、２つの最短サブフレーム長が同じサブフレーム長セットに属し、２つの最長サブフレーム長が同じサブフレーム長セットに属する。したがって、同じ同期信号設計が同じサブフレーム長セットに対して用いられるときに、適切なリソースが適切な待ち時間要求を確実にするために使用されることができる。
【国際調査報告】
2019520731.tif 000013
2019520731.tif 000014
2019520731.tif 000015
2019520731.tif 000016